(57)【特許請求の範囲】
【請求項１】
第１映像ストリームと第２映像ストリームとを含む少なくとも２つ以上の映像ストリームが複数の映像フレームから成る１のＧＯＰ又は複数のＧＯＰから構成されたインターリーブブロック単位で分割され特定の順番で記録された光ディスクを再生し、少なくとも、第１映像ストリームの第１時間情報をもつ第１インターリーブブロックと、前記第１時間情報と略々同じ第２時間情報をもつ第２インターリーブブロックを特定の順番で再生し、バッファメモリ部に蓄積し、第１インターリーブブロックのデータを第１復号手段を用いて第１映像信号を復号し、第２インターリーブブロックのデータを第２復号手段を用いて第２映像信号を復号し、合成部により第１映像信号と第２映像信号を、前記第１時間情報もしくは／かつ前記第２時間情報に基づいて同期させて１つの映像信号に合成し、出力部により出力することを特長とする再生装置。
【請求項２】
原映像信号が、少なくとも第１映像ストリームと第２映像ストリームとから合成され復号されることを示す合成識別情報を合成識別情報検出手段が光ディスクから検出した場合には、合成部において１つの映像信号に合成することを特長とする請求項１記載の再生装置。
【請求項３】
映像信号のビデオブロックが第２インターリーブブロックの次に第１インターリーブブロックが記録されている光ディスクを再生し、まず、第２インターリーブブロックの第２映像データを再生し、バッファメモリ手段に蓄積し、次に第１インターリーブブロックの第１映像データを再生し、前記バッファメモリ手段に蓄積するとともに、第１インターリーブブロックに記録されている第１時間情報を優先的に用い、同期時間情報を作成し、前記第１映像データのデータを前記同期時間情報に基づいて第１デコーダにより第１映像信号に復号し、前記第２映像データを前記同期時間情報に同期させて、第２映像デコーダにより、第２映像信号を復号し、合成部において前記第１映像信号と前記第２映像信号を前記第１時間情報もしくは／かつ前記第２時間情報もしくは／かつ前記同期時間情報により同期させて、１つの映像信号を合成し、出力部より出力することを特長とする請求項１記載の再生装置。
【請求項４】
第１インターリーブブロックの音声データを再生し、バッファメモリに優先的に蓄積し、音声デコーダにより音声信号を復号し、映像音声同期手段により、映像信号と同期させ出力することを特長とする請求項１記載の再生装置。
【請求項５】
映像信号の垂直方向もしくは／かつ水平方向の高域信号を減衰させるローパスフィルタ部を設け、第１映像信号と第２映像信号を合成部において、合成した合成映像信号を出力部より出力させる場合には前記ローパスフィルタ部を通過させないで出力させる一方で、水平方向もしくは垂直方向に分離する映像分離手段により、前記合成映像信号より、低い解像度の分離映像信号を得る場合には、前記合成映像信号を前記ローパスフィルタ部を通過させて前記分離映像信号を得ることを特徴とする請求項１記載の再生装置。
【請求項６】
光ディスク上の第１ストリームもしくは／かつ第２映像ストリームの高域信号が、減衰されて記録されていることを示すフィルタリング識別情報を前記光ディスクより再生した時は、前記フィルタリング識別情報に基づいてローパスフィルタ部を作動させないことを特徴とする請求項５記載の再生装置。
【請求項７】
第１復号手段を用いて、基本映像信号を復号し、第２復号手段を用いて、補間映像信号を復号し、合成部において、前記基本映像信号と前記補間映像信号より、１つの合成映像信号を合成し、出力部より出力することを特徴とする請求項１記載の再生装置。
【請求項８】
補間映像信号として、合成映像信号と基本映像信号との差分信号を再生し、合成部の中の差分復号手段において、前記差分信号と前記基本映像信号から合成映像信号を復号することを特徴とする請求項７記載の再生装置。
【請求項９】
２つ以上の復号手段を持ち、少なくとも、第１映像信号として第１インターレース信号を第１復号手段により復号し、第２映像信号として第２インターレース信号を第２復号手段他より復号し、前記第１インターレース信号と前記第２インターレース信号を合成部において、同期させてプログレシブ信号に合成し、出力部より出力することを特徴とする請求項１記載の再生装置。
【請求項１０】
プログレシブ信号を垂直方向のローパスフィルタにより高域成分を減衰させた上で、分離手段により奇数ラインの奇数フィールド信号と偶数ラインの偶数フィールド信号に分離し、奇数フィールド信号と偶数フィールド信号を出力部により、交互に出力し、インターレース信号を出力することを特徴とする請求項９記載の再生装置。
【請求項１１】
出力部として第１出力部と第２出力部をもち、第１出力からプログレシブ信号、第２出力部からインターレース信号とを出力することを特徴とする請求項１０記載の再生装置。
【請求項１２】
少なくとも２つ以上の映像ストリームで立体映像が記録され、少なくとも、右目画像用の第１映像ストリームが複数の映像フレームから成る１のＧＯＰ又は複数のＧＯＰごとに分割され記録された複数の第１インターリーブブロックと、左目画像用の第２映像ストリームが複数の映像フレームから成る１のＧＯＰ又は複数のＧＯＰごとに分割され記録された複数の第２インターリーブブロックが、特定の順番で複数回記録された光ディスクを再生し、少なくとも、第１映像ストリームの第１時間情報をもつ第１インターリーブブロックと、第１映像ストリームの第１時間情報と略々同じ第２時間情報をもつ第２インターリーブブロックを特定の順番で再生し、バッファメモリ部に蓄積し、第１インターリーブブロックのデータを第１復号手段を用いて第１映像信号を復号し、第２インターリーブブロックのデータを第２復号手段を用いて第２映像信号を復号し、出力部において、前記第１時間情報もしくは／かつ第２時間情報に同期させて、前記第１映像信号と前記第２映像信号を右目用と左目用に独立した２つの立体映像信号として出力するか、もしくは／かつ前記第１映像信号と前記第２映像信号とを同期させて交互に出力し時分割した１つの立体映像信号として出力することを特徴とする光ディスク再生装置。
【請求項１３】
光ディスク上に立体識別情報が記録されている場合には、出力部において、第１映像信号と第２映像信号を右目用と左目用に独立した２つの立体映像信号として出力するか、もしくは／かつ前記第１映像信号と前記第２映像信号とを同期させて交互に出力し時分割した１つの立体映像として出力することを特徴とする請求項１２記載の光ディスク再生装置。
【請求項１４】
まず、第２インターリーブブロックの第２映像データを再生し、バッファメモリ手段に蓄積し、次に第１インターリーブブロックの第１映像データを再生し、前記バッファメモリ手段に蓄積するとともに、第１インターリーブブロックに記録されている第１時間情報を優先的に用い、同期時間情報を作成し、前記第１映像データのデータを前記同期時間情報に基づいて第１デコーダにより第１映像信号に復号し、前記第２映像データを前記同期時間情報に同期させて、第２映像デコーダにより第２映像信号を復号し、出力部において、前記第１時間情報もしくは／かつ前記第２時間情報もしくは／かつ同期時間情報に同期させて、前記第１映像信号と前記第２映像信号を右目用と左目用に独立した２つの立体映像信号として出力するか、もしくは／かつ前記第１映像信号と前記第２映像信号とを同期させて交互に出力し時分割した１つの立体映像として出力することを特徴とする請求項１２記載の光ディスク再生装置。
【請求項１５】
第１インターリーブブロックユニットの音声データを優先的に再生し、バッファメモリに蓄積し、音声デコーダにより音声信号を復号し、映像音声同期手段により、立体映像信号と同期させ出力部より出力することを特長とする請求項１４記載の光ディスク再生装置。
【請求項１６】
第１映像信号から右眼用もしくは左眼用の立体映像信号を作成するとともに、第２映像信号から、立体映像信号と第１映像信号との差分信号を再生し、合成部の中の差分復号手段において、前記差分信号と前記第１映像信号から第１映像信号と逆の眼用の立体映像信号を復号することを特徴とする請求項１２記載の光ディスク再生装置。
【請求項１７】
第１映像信号として第１インターレース信号を第１復号手段により復号し、第２像信号として第２インターレース信号を第２復号手段より復号することを特徴とする請求項１２記載の光ディスク再生装置。
【請求項１８】
出力部として第１出力部と第２出力部をもち、第１出力から立体映像信号、第２出力部から第１映像信号から構成されるインターレース信号とを出力することを特徴とする請求項１２記載の光ディスク再生装置。
【請求項１９】
少なくとも１ＧＯＰ以上の動画像データとオーディオデータを含むインターリーブブロックがインターリーブされて記録されている光ディスクより、少なくとも主システムストリームと副システムストリームと前記主システムストリーム間もしくは前記副ストリーム間の接続情報を再生する光ディスク再生装置であって、前記主システムストリームもしくは／かつ前記副システムストリームの再生基準クロックであるＳＴＣを発生するＳＴＣ発生部と、ＳＴＣを基準として動作する少なくとも２つ以上の信号処理用デコーダと、前記信号処理用デコーダに転送される主システムストリームもしくは／かつ副システムストリームのデータを一時記憶するデコーダバッファと、第１の主システムストリームもしくは副システムストリームのデコードにおいて前記信号処理用デコーダが参照するＳＴＣと、第１インターリーブブロックの主システムストリームもしくは副システムストリームに続いて連続再生される第２インターリーブブロックの主システムストリームもしくは／かつ副システムストリームのデコードにおいて前記信号処理用デコーダが参照するＳＴＣを切り替えるＳＴＣ切り替え部を、有する光ディスク再生装置において、特定の時間情報を含む主システムストリームと前記時間情報を含む副システムストリームを再生し、復号部により、画像情報を復号し、少なくとも第１インターリーブブロックの主システムストリームの第１画像情報と第１インターリーブブロックの副システムストリームの第２画像情報を合成部により前記時間情報に基づいて、同期させ１つの映像信号に合成して、出力することを特長とする光ディスク再生装置。
【請求項２０】
主システムストリームもしくは副システムストリームの管理情報の中に記録されたＳＴＣ切り替えタイミングを参照して、ＳＴＣ切り替え部がＳＴＣを切り替えることを特徴とする請求項１９記載の光ディスク再生装置。
【請求項２１】
再生された第１インターリーブブロックの主システムストリームもしくは／かつ副システムストリームのビデオプレゼンテーションタイムスタンプ（ＶＰＴＳ）情報の増加が停止した時に、ＳＴＣ切り替え部がＳＴＣを切り替えることを特徴とする請求項１９記載の光ディスク再生装置。
【請求項２２】
光ディスクのビデオデータ先頭部において副システムストリームの次に主システムストリームが記録されている場合、まず、副システムストリームの１インターリーブブロック分のデータをデコーダバッファに蓄積した後、前記副システムストリームと同一の時間情報をもつ主システムストリームのデータを再生し、信号処理用デコーダでデコードを開始することを特徴とする請求項１９記載の光ディスク再生装置。
【請求項２３】
デコーダバッファのメモリ容量を主システムストリームもしくは副システムストリームの１インターリーブブロック分の容量以上に設定したことを特徴とする請求項２２記載の光ディスク再生装置。
【請求項２４】
第１解像度をもつ原映像信号を、垂直方向もしくは/かつ水平方向に映像信号を分離する映像分離手段により、第１解像度より低い第２解像度をもつ第１映像ストリームと、第２映像ストリームを含む複数の映像ストリームに分離し、かつ前記映像ストリームの各々をＭＰＥＧエンコーダーで可変長符号化し、タイムスタンプ付加手段により同一の原映像信号から分離された前記映像ストリームに同一のタイムスタンプを付加し、かつ各々の前記映像ストリームをデータ分離手段により複数の映像フレームから成る１のＧＯＰ又は複数のＧＯＰから構成されたインターリーブブロックに分割し、すくなくとも、前記第１映像ストリームの第１インターリーブブロックと、前記第２映像ストリームの第２インターリーブブロックを、光ディスク上のトラック上に特定の順番で記録することを特徴とする光ディスク記録装置。
【請求項２５】
前記第１映像ストリームとして、符号化されたＮＴＳＣもしくはＰＡＬもしくはＳＥＣＡＭの信号を含む情報を記録することを特徴とする請求項２４記載の光ディスク記録装置。
【請求項２６】
第１映像ストリームと第２映像ストリームとを含む少なくとも２以上の映像ストリームが複数の映像フレームを含む１のＧＯＰ又は複数のＧＯＰから構成されたインターリーブブロックごとに分割され特定の順番で記録された光ディスクを再生し、少なくとも、第１映像ストリームの第１時間情報をもつ第１インターリーブブロックと、前記第１時間情報と略々同じ第２時間情報をもつ第２インターリーブブロックを特定の順番で再生し、バッファメモリ部に蓄積し、第１インターリーブブロックのデータを第１復号手段を用いて第１映像信号を復号し、第２インターリーブブロックのデータを第２復号手段を用いて第２映像信号を復号し、合成部により第１映像信号と第２映像信号を、前記第１時間情報もしくは／かつ前記第２時間情報に基づいて同期させて１つの映像信号に合成し、出力部により出力することを特徴とする光ディスク再生装置であって、原映像信号が、少なくとも第１映像ストリームと第２映像ストリームとから合成され復号されることを示す合成識別情報を合成識別情報検出手段が光ディスクから検出した場合には、合成部において１つの映像信号に合成することを特長とする再生装置。
【請求項２７】
映像信号のビデオブロックが第２インターリーブブロックの次に第１インターリーブブロックが記録されている光ディスクを再生し、まず、第２インターリーブブロックの第２映像データを再生し、バッファメモリ手段に蓄積し、次に第１インターリーブブロックの第１映像データを再生し、前記バッファメモリ手段に蓄積するとともに、第１インターリーブブロックに記録されている第１時間情報を優先的に用い、同期時間情報を作成し、前記第１映像データのデータを前記同期時間情報に基づいて第１デコーダにより第１映像信号に復号し、前記第２映像データを前記同期時間情報に同期させて、第２映像デコーダにより、第２映像信号を復号し、合成部において前記第１映像信号と前記第２映像信号を前記第１時間情報もしくは／かつ前記第２時間情報もしくは／かつ前記同期時間情報により同期させて、１つの映像信号を合成し、出力部より出力することを特長とする請求項２６記載の再生装置。
【発明の詳細な説明】
技術分野
本発明は立体映像および高画質映像が記録された光ディスクおよび、その光ディスクの再生装置、記録装置に関する。
背景技術
従来、立体動画を記録した光ディスクと再生装置としては、図１０に示すようなものが知られている。これは、光ディスク２０１に、右眼画面を偶数フィールド領域２０４、２０４ａ、２０４ｂに、左眼画面を奇数フィールド領域２０３、２０３ａ、２０３ｂに、交互に記録したものである。この光ディスク２０１を図１１に示すような既存の光ディスク再生装置２０５で再生するとＴＶ２０６には、６０分の１秒毎に右眼画像，左眼画像が交互に現われる。裸眼では、右眼と左眼の画像が２重になった画像しかみえない。しかし、６０分１秒毎に右眼と左眼のシャッタが切り替わる立体メガネ２０７でみると立体画像がみえる。図１２に示すように、１ＧＯＰMPEG信号の（Group of Pictureの略）の中の各インターレース信号に右眼映像と左眼映像が１フィールド毎に交互にエンコードされている。また高画質映像としてはプログレッシブ方式が検討されている。
次に、従来例の課題を述べる。従来の立体型光ディスクを標準の再生装罎で再生した場合、立体面像でない普通の画像つまり２Ｄ画像は出力されない。立体光ディスクは立体ディスプレイが接続された再生装置でないと再生できない。このため、同じコンテンツの立体光ディスクと２Ｄ光ディスクの２種類を制作する必要があった。高画質映像も同様である。つまり従来の立体および高画質光ディスクは通常映像との互換性がなかった。次に発明の目的を述べる。本発明の目的は互換性をもつ立体および高画質光ディスクおよび再生システムを提供することにある。互換性の定義を明確にすると、丁度、過去のモノラルレコードとステレオレコードの関係の互換性である。つまり新しい立体光ディスクは、既存の再生装置では、モノラルビジョン、つまり２Ｄで出力され、新しい再生装置ではモノラルビジョンもしくはステレオビジョンつまり立体画像が出力される。
発明の開示
この目的を達成するために、本発明の光ディスクはまず左右各々フレーム／秒のフレームレートの２つの動画を入力し、片側の眼もしくはプログレッシブ画像のフィールド成分の画像データの複数のフレームの画像を１ＧＯＰ以上まとめた画像データ単位を作成し、この画像データ単位の１つが、光ディスクのトラック上に１回転分以上記録されるようなインターリーブブロックを設け、左右の画像データ単位がインターリーブつまり、交互に配置されるように記録するとともに、立体画像や高画質映像の映像識別子の情報を記録したものである。
この光ディスクを2Dの通常の再生用の光ディスク再生装置で再生すると、通常の２Ｄの動画が再生される。
次に、本発明の立体画像・高画質映像対応型の再生装置は、光ディスクから画像識別子情報を再生する手段と、この情報に基づいて２Ｄ画像を従来の手順で再生する手段と、３Ｄ画像や高画質映像を画像を再生する手段と、立体画像・高画質映像を出力する手段とを備えたものである。
【図面の簡単な説明】
図1は本発明の一実施形態の記録装置を示すブロック図、図2は本発明の一実施形態の入力信号と記録信号との関係を示すタイムチャート図、図3は本発明の一実施形態の光ディスク上のインターリーブブロックの配置を示す光ディスクの上面図である。
図4は本発明の一実施形態の立体映像配置情報を示す図、図5は本発明の一実施形態の立体映像の再生装置を示す図、図6は本発明の一実施形態の再生装置における記録されている信号と映像出力信号との関係を示すタイムチャート図である。
図7は本発明の一実施形態の再生装置の別の方式のMPEGデコーダを示すブロック図、図8は本発明の一実施形態の再生装置の2D再生時の記録信号と出力信号の関係を示すタイムチャート、図9は本発明の一実施形態の2D型再生装置を示すブロック図、図10は従来の一実施形態の立体映像を記録した光ディスクのデータ配置を示す上面図である。
図11は従来の一実施形態の立体映像を記録した光ディスクを再生する再生装置のブロック図、図12は従来の一実施形態の立体映像型光ディスクを再生した記録信号と映像出力との関係を示すタイムチャート図、図13は本発明の一実施形態の仮想的な立体映像識別子とR出力、L出力との関係を示すタイムチャート図である。
図14は本発明の一実施形態の通常映像再生モードと立体映像再生モードのポインターのアクセスの違いを示す再生シーケンス図、図15は本発明の一実施形態の立体映像信号を再生する場合と再生しない場合のポインタのアクセスの手順を変えたフローチャート図（その1）、図16は本発明の一実施形態の立体映像信号を再生する場合と再生しない場合のポインタのアクセスの手順を変えたフローチャート図（その2）である。
図17は本発明の一実施形態の立体映像再生装置における立体映像である場合とない場合に出力を変更するフローチャート図、図18は本発明の一実施形態の立体映像論理配置テーブルに立体映像識別子が入った状態を示す図、図19は本発明の一実施形態の立体映像論理配置テーブルの立体映像識別子から、各チャプタ、各セル、各インターリーブブロックの立体映像の属性を特定する手順を示すフローチャート図、図20は本発明の一実施形態の再生装置のインターレース映像信号出力モード時のブロック図である。
図21は本発明の一実施形態の再生装置のプログレシブ映像信号出力モード時のブロック図、図22は本発明の一実施形態の記録装置のプログレシブ映像信号入力モード時のブロック図、図23は本発明の一実施形態の記録装置の立体映像信号入力モード時のブロック図である。
図24は本発明の一実施形態の再生装置の立体映像信号再生モード時のブロック図、図25は本発明の一実施形態の4倍速の再生装置の立体プログレシブ映像信号再生モード時のブロック図、図26は本発明の一実施形態の再生装置のマルチストリームのプログレシブ映像再生時のブロック図である。
図27は本発明の一実施形態の光ディスク全体のデータ構造を示す図、図28は本発明の一実施形態の図２７中のボリューム情報ファイルの内部構造を示す図、図29は本発明の一実施形態のシステム制御部Ｍ１−９によるプログラムチェーン群の再生処理の詳細な手順を示すフローチャート図、図30は本発明の一実施形態のＡＶ同期制御１２−１０に関するＡＶ同期を行う部分構成を示すブロック図である。
図31は本発明の一実施形態のデータストリームがデコーダのバッファ、デコード処理を経て、再生出力されるタイミング図、図32は本発明の一実施形態のインターレース信号を得る場合にフィルタのＯＮ／ＯＦＦによりインターレース妨害を低減する方法を示す図、図33は本発明の一実施形態のＤＶＤディスクへ記録する場合のフォーマットを調整する記録方法を示す図である。
図34は本発明の一実施形態のＤＶＤディスクから再生する場合のタイミングを調節する方法を示す図、図35は本発明の一実施形態の映像ストリーム切替時のインターリーブブロックの再生を示すタイムチャート、図36は本発明の一実施形態の2つのプログレシブ映像信号をインターリーブブロックに分割して記録する原理図である。
図37は本発明の一実施形態のVOBの最初のダミーフィールドをスキップするフローチャート図、図38は本発明の一実施形態のシームレス接続時のSTC切替のフローチャート図、図39は本発明の一実施形態のデータ復合処理部のブロック図、図40は本発明の一実施形態のスコープ（ワイド）画像を水平方向に分離して、インターリーブブロックに記録する原理図である。
図41は本発明の一実施形態のスコープ（ワイド）画像が分離されて記録されている光ディスクからスコープ画像を合成し、3-2変換する原理図、図42は本発明の一実施形態光ディスクのシステムストリーム、ビデオデータの構成図、図43は本発明の一実施形態のシームレス接続時のフローチャートである。
図44は本発明の一実施形態の水平、垂直方向の補間情報を分離してインターリーブブロックに記録する方法を示す図、図45は本発明の一実施形態のプログレシブ、立体、ワイド信号の再生時のバッファのデータ量とのタイミングチャート、図46は本発明の一実施形態の水平フィルタ、垂直フィルタの構成図である。
図４７は本発明の一実施形態のダミーフィールドを入れる信号配置図、図４８は本発明の一実施形態の既存のエンコーダを用いて、プログレシブ信号をエンコードした場合のタイムチャート、図４９は本発明の一実施形態の画像識別子の信号フォーマット、図５０は本発明の一実施形態の垂直フィルタ、水平フィルタの識別子の内容である。
図５１は本発明の一実施形態の１０５０インターレース信号の分割記録原理の図、図５２は本発明の一実施形態のプログレシブ信号とＮＴＳＣ信号とＨＤＴＶ信号を出力する信号配置図、図５３は本発明の一実施形態のビデオプレゼンタイムスタンプを参照しながらインターリーブブロックを再生するプログレシブ再生方法、図５４は本発明の一実施形態のサイマルキャスト方式のＨＤＴＶサブ信号とＮＴＳＣ信号の配置図、図５５は本発明の一実施形態のサイマルキャスト方式のＨＤＴＶ／ＮＴＳＣ共用ディスク用の再生装置のブロック図である。
発明を実施するための最良の形態
以下、本発明の実施の形態について、図を用いて説明する。
まず前半で立体映像と高画質映像の記録およびその再生の方法を述べ、後半部では高画質映像の実現方法を述べる。
本発明の記録においては、立体映像やワイド映像の場合は、右眼と左眼の２画面や水平方向に分割した２画面を用いて分割記録する。この２画面は、奇数ラインから始まるフィールド映像であり、これをＯｄｄ  Ｆｉｒｓｔ信号と呼ぶ。また、プログレシブ映像を垂直方向に、２画面に分割して記録する場合は、この２画面は奇数ラインから始まるフィールド信号と偶数ラインから始まるフィールド信号となり、各々Ｏｄｄ  Ｆｉｒｓｔ信号、Ｅｖｅｎ  Ｆｉｒｓｔ信号と呼ぶ。
なお本文では、インターリーブした1GOP以上の画像情報の記録単位をインターリーブブロックと呼ぶが、フレーム群ともよぶ。
図１は、本発明の光ディスクの記録装置２のブロック図を示す。立体画像の右眼用の信号をＲ−ＴＶ信号、左眼用の信号をＬ−ＴＶ信号と呼び、Ｒ−ＴＶ信号，Ｌ−ＴＶ信号はＭＰＥＧエンコーダ３ａ，３ｂにより、ＭＰＥＧ信号に圧縮され、図２の（２）に示すようなＲ−ＭＰＥＧ信号，Ｌ−ＭＰＥＧ信号が得られる。これらの信号はインターリーブ回路４により図２（３）に示すように、Ｒ−ＭＰＥＧ信号のＲフレーム５を１ＧＯＰ以上のフレーム数のフレーム群をまとめたＲフレーム群６、Ｌ−ＭＰＥＧ信号のＬフレーム７を１ＧＯＰ以上のフレーム数集めたＬフレーム群８とが交互に配置されるようにインターリーブされる。この記録単位をインターリーブブロックとよぶが、本文ではフレーム群ともよぶ。再生時に右眼用信号と左眼用信号が同期するようにこれらのＲフレーム群６とＬフレーム群８の各フレームは同じ時間のフレームが同じフレーム数だけある。これを画像データ単位とも呼ぶが、この１単位は０．４秒から１秒の時間のデータが記録される。一方、ＤＶＤの場合、最内周で１４４０ｒ．ｐ．ｍつまり２４Ｈｚである。このため図２の（４）に示すように、インターリーブブロックは、ディスクの１回転以上十数回転分にわたって記録される。図１に戻るとアドレス情報はアドレス回路１３より出力され、立体画像配置情報は立体画像配置情報出力部１０より出力され、記録回路９により、光ディスク上に記録される。この立体画像配置情報には、立体画像が光ディスク上に存在するかどうかを示す識別子又は、図４の立体画像配置表１４が含まれている。図４に示すようにＲとＬの立体映像が配置されているチャンネル番号や開始アドレスと終了アドレスが示されている。この配置情報や識別情報をもとに再生装置では、立体映像を正しくＲ，Ｌ出力として出力する。誤って異なる通常映像がＲとＬに出力されると、使用者の右眼と左眼に関連のない映像のため不快感を与える。立体映像配置情報もしくは立体映像識別子はこのような不快な映像を出力することを防止するという効果がある。くわしい用い方は後の再生装置の説明の項で述べる。
ここで立体映像配置情報の具体的な実現方法を述べる。DVD規格の光ディスクの場合、光ディスクの記録開始領域にコンテンツのディレクトリーや目次情報のファイルが規格化され記録されている。しかし、これらのファイルには立体映像に関する記述はない。そこで、図18に示す立体映像論理配置表51の入った立体映像論理配置ファイル53を儲け、立体に対応した再生装置がこのファイルを読み出せばよい。通常の2Dの再生装置は立体論理配置ファイル５３を読まないが、3Dを再生しないので、支障はない。
さて、図18の説明に入る。DVDのビデオ情報は3つの論理階層からなっている。映画等作品タイトルを表すビデオタイトルセット（VTS）層、タイトルの中のチャプターを示すパートオブビデオタイトル層（PVT）、チャプターの中のストリームを示すセル層（Cell）の3つである。
各層別に立体映像の配置を示す。000は立体やプログレシブが全くないこと。110は全部立体であること。001は立体部分と非立体とが混在することを意味する。
図18ではVTS層のタイトル1は“001”つまり3Dと通常映像が混在することを意味し、タイトル2は“110”つまり全てが立体である。タイトル3は“000”つまり立体がないことを示す。以上からタイトル2、3の下の階層には立体情報は不要となる。
さて、タイトル1のPVT層ではチャプタ2は“000”で立体のセルなし、チャプタ3は“110”で全てのセルが立体である。従ってセル層には立体情報は不要となる。チャプタ1は“001”で立体のセルと通常のセルとが混在することがわかる。チャプタ1のセル層をみると、セル1、2が第1ストーリーのRとL、セル3、4が第2ストーリーのRとLであり、セル5、6は通常映像が記録されていることがわかる。このように立体映像論理配置ファイルを別途光ディスクに記録することにより、従来ファイルを変更しないので互換性を保てる。また、この論理情報により、光ディスク上の全ての物理情報がわかるので、2つの異なるコンテンツの通常映像を左と右の眼に表示させる誤動作を防ぐことができる。また、立体映像を的確に再生し、デコードし、正しい出力部から右眼と左眼にRとLの映像を与えることができる。
ここで、図19のフローチャートを用いて、立体映像論理配置表より、各セルが立体映像かどうかを判別する手順を示す。ステップ51aで立体映像論理配置表52を光ディスクの最初の記録領域より読み出す。ステップ51bで、タイトルnの図18に示すVTS層の内容をチェックし、“０００”なら立体のセルでないと判断し、3D処理を行わない。ステップ51cでVTS=１１０ならステップ51dで全セルが3Dであると扱い、ステップ51eで奇数セル=R、偶数セル=Lとして扱う。ステップ51fでは、タイトルnの全てが立体であるとの表示をメニュー画面に表示させる。ステップ51gでVTS=００１なら、ステップ51iで下の階層のチャプターnの配置情報をチェックし、ステップ51jでPVT=０００ならステップ51kでチャプタnに3Dのセルはないと判断し、ステップ51mでPVT=１１０ならステップ51nでチャプタの全てのセルが3Dであると判断し、ステップ51dに進み前述と同じようにメニュー画面の該当チャプタは立体の表示を付加する。ステップ51Pに戻り、PVT=００１ならPVT=００１のチャプタのセル番号=nを1つずつチェックし、ステップ51sでCell=０００なら3Dでないと判断し、ステップ51qに戻る。ステップ51uでCell=m-Rならステップ51vでmストーリのRと判断し、ステップ51wでCell=m-Lならステップ51xでmストーリのLと判断し、ステップ51qで次のセルをチェックする。
こうして図18の立体映像論理配置テーブル52の追加記録により、全てのビデオのタイトル、チャプタ、セルが立体か立体でないかを判別できるという効果がある。
さて、これを図３のディスクの上面図で説明する。ディスク１にはスパイラルの１本のトラックが形成されており、Ｒフレーム群６はＲトラック１１，１１ａ，１１ｂの複数本のトラックにわたって記録される。実際には５〜２４本の複数トラックにわたって記録される。Ｌフレーム群８はＬトラック１２，１２ａ，１２ｂに、次のＲフレーム群６ａはＲトラック１１ｃ，１１ｄ，１１ｅに記録されている。
さて、図５の本発明の３Ｄの再生装置のブロック図と図６のタイミングチャートを用いて、再生動作を説明する。光ディスク１から光ヘッド１５と光再生回路２４により信号を再生し立体映像配置情報再生部２６により立体映像識別子を検出した場合、もしくは図４に示したような立体映像配置表１４で立体映像があると指定されている映像データを再生する場合に、入力部１９等より立体画像出力の指示がある場合立体画像の処理を行うと同時にＳＷ部２７を制御してＲ出力部２９とＬ出力部３０からＲ信号とＬ信号を出力させＲＬ混合回路２８よりＲとＬをフィールド毎に交互に出力させる。
さて、図５と図６を用いて立体画像再生の動作を述べる。光ディスク上には、図２の（３）で説明したように各々１ＧＯＰ以上のフレームをもつＲフレーム群６とＬフレーム群８が交互に記録されている。図６では（１）がこの全体図を（２）が部分図を示す。図５の光再生回路２４の出力信号は図６の（２）のようになる。この信号をＳＷ部２５によりＲ信号とＬ信号に分離し、各々第１バッファ回路２３ａと第２バッファ回路２３ｂによりＲ信号とＬ信号の時間軸を元の時間に一致させる。これにより図６の（４）（５）に示すようなＲ及びＬ−ＭＰＥＧデコーダの入力信号が得られる。この信号を図５のＭＰＥＧデコーダ１６ａ，１６ｂで各々処理することにより、図６の（６）（７）に示すように互いに同期したＲ、Ｌ出力信号が映像出力部３１に送られる。音声信号は音声出力部３２において伸長され、出力される。
このようにして、ＲとＬの２つの出力が同時に出力されるので、Ｒ，Ｌ２出力の立体ＴＶにはＲ出力部２９とＬ出力部３０から各々、６０ｆｐｓ（フレーム／秒）の信号を送れば、フリッカレスの映像が得られる。またＲＬ混合出力部２８からは６０フィールド／秒のＲＬ混合出力を送れば、一般ＴＶと３Ｄメガネで、フリッカはあるが３Ｄ映像を観賞できる。１２０フィールド／秒のＲＬ混合出力を出力すれば倍スキャンＴＶと３Ｄメガネでフリッカレスの３Ｄ映像を観賞できる。また立体映像コンテンツであるのに、立体出力をしない場合は“立体”表示信号出力部３３より、信号を追加し、ＴＶ画面に立体を意味する記号を表示させる。これにより、使用者に立体ソフトを２Ｄモードでみていることを通知させることにより、立体出力に切り替えることを促すという効果がある。
また、図５のブロック図では、ＭＰＥＧデコーダを２ヶ使っているが、図７に示すように、Ｒ−ＭＰＥＧ信号とＬ−ＭＰＥＧ信号を合成部３６で一つのＭＰＥＧ信号とし倍クロック発生部３７より、倍クロックを発生させ、倍クロック型のＭＰＥＧデコーダ１６ｃで倍の演算し、伸長し、分離部３８でＲとＬの映像信号として出力する回路構成により、構成を簡単にできる。この場合、２Ｄ再生装置に比べて、メモリ３９に１６ＭＢ  ＳＤ−ＲＡＭを追加するだけでよいためコスト上昇が少ないという効果がある。
次に、１倍速で回転させＲ信号のみをとり出す手順を述べる。ＤＶＤ再生装置の標準回転を１倍速、標準の倍速回転を２倍速と呼ぶ。２倍速でモーター３４を回転させる必要はないため、制御部２１より１倍速命令を回転数変更回路３５に送り、回転数を下げる。Ｒ信号とＬ信号が記録されている光ディスクより、１倍速でＲ信号のみをとり出す手順を図８のタイムチャート図を用いて説明する。図６の（１）（２）で説明したように本発明の光ディスクにはＲフレーム群６とＬフレーム群８が交互に記録されている。これを図８（１）（２）に示す。
この信号と図８（３）のディスクの１回転信号とを比較すると１つのフレーム群の再生中には、光ディスクは５〜２０回転することになる。ここで、Ｒフレーム群６からＲフレーム群６ａに光ヘッドをトラックジャンプさせると隣接トラックのトラックジャンプ時間は数十ｍｓ要する。回転待ち時間を最大の１回転とすると、２回転の間にＲフレーム群６ａのデータを再生できることになる。これを図８（４）（５）の再生信号図とディスクの１回転信号のタイムチャートに示す。図８（４）の再生信号は図５のバッファ回路２３ａにより時間軸が調整され、図８の（６）のような連続したＲのフレームのＭＰＥＧ信号がバッファ２３ａより出力される。この信号はＭＰＥＧデコーダ１６ａにより図８の（７）のようなＲの映像信号として伸長される。Ｒ信号と同様別のチャンネルを選択すればＬ信号の２Ｄ信号が得られる。本発明のように１ＧＯＰ以上のフレーム信号群にＲ又はＬを割りあて、かつ、上記フレーム信号群を複数トラックにわたり、連続的に記録することにより、１倍速の再生装置でも、３Ｄの光ディスクを再生してもＲのみの２Ｄ出力が得られるという効果がある。
このことから図９のブロック図に示すように図５の３Ｄの再生装置のバッファ回路２３を一つにし、ＭＰＥＧデコーダ１６を１にし、映像出力部１７を一つにすることにより、２Ｄ専用の再生装置ができる。この２Ｄ再生装置４０には立体映像配置情報再生部２６があるので、３Ｄの光ディスク１の立体映像の識別子や配置情報を再生する。従って、３Ｄの光ディスクを２Ｄ再生装置で再生した場合ＲとＬの各チャンネルのいずれか一方が出力される。ＲとＬは同じ画像であるので、チャンネルをチャンネル選択部２０で変えて出力させるのは、時間の無駄である。しかし、本発明では、立体チャンネル出力制限部４１が上記の立体映像識別子を用いて、立体映像のＲのみといった片側だけのチャンネルに出力制限する。このことにより、同じ映像コンテンツのＲとＬのうち一方しか選択できなくなるので、ユーザが不必要なチャンネルを選択しなくていいという効果がある。
また、立体コンテンツの場合“立体”の表示が画面もしくは再生装置の表示部４２に“立体”表示信号出力部３３より表示されるので立体コンテンツであることをユーザーが認識できる。このように、本発明の光ディスクは図５の立体用再生装置４３では、２Ｄと立体映像が、図９の２Ｄ用再生装置では、２Ｄ映像が得られるという互換性が実現する。
さて、３Ｄの再生装置に戻り、立体映像識別子の用い方と効果を述べる。
図１３は立体映像識別子と出力信号とのタイムチャートを示す。図１３の（３）以降は１インターリーブブロック時間単位と定義すると、１ｔ分の遅延時間が発生するが図には示していない。図１３の（１）の立体映像識別子はｔ＝ｔ７で１から０に変わる。図１３の（２）の記録信号はｔ１〜ｔ７までは、立体映像のＲフレーム群６，６ａ，６ｂとＬフレーム群８，８ａ，８ｂが記録される。一方ｔ７〜ｔ１１には全く異なるコンテンツであるＡ，Ｂが第１フレーム群４４，４４ａと第２フレーム群４５，４５ａが記録されている。ＤＶＤ等の規格では立体画像の規定はないので、データやディレクトリー情報の中には立体映像識別子はない。従って光ディスクが立上がる時に本発明の立体映像配置情報ファイルを読み出す必要がある。図１３の（３）（４）のＲ出力，Ｌ出力ではｔ１〜ｔ７では第１のタイムドメイン４６，４６ａ，４６ｂのデータはそのままＲ出力に、第２タイムドメイン４７，４７ａ，４７ｂのデータはそのままＬ出力に出力すればよい。ｔ＝ｔ７以降では立体映像識別子がないためＲ出力とＬ出力に第１タイムドメイン４６ｃ，４６ｄの同じデータを出力させる。別の出力方式である図１３（５）（６）の混合出力では立体映像識別子が１であるｔ１〜ｔ７は６０Ｈｚ又は１２０Ｈｚのフィールド周波数で１つの出力から偶数フィールド信号４８，４８ａと奇数フィールド信号４９，４９ａを交互に出力する。偶数フィールド信号に第１タイムドメイン４６，４６ａのデータを出力し、奇数フィールド信号に第２タイムドメイン４７，４７ａのデータを出力する。
しかし、立体映像がないｔ７以降は第１タイムドメイン４６ｃ，４６ｄのデータを偶数フィールド信号４８ｄ，４８ｅと奇数フィールド信号４９ｄ，４９ｅの双方に出力させる。
以上のように、立体映像配置情報により立体映像がないことが示されている領域と示されていない領域とで信号の立体ディスプレイへの出力を変えることにより、使用者の右眼と左眼に異なるコンテンツの映像を入力させることが防止されるという効果がある。もし、この機能がないと立体映像の同じコンテンツの右画像と左画像を観賞している時に、光ディスクの第１タイムドメインと第２タイムドメインの映像が別コンテンツになった時右眼にＡコンテンツ，左眼にＢコンテンツの異常な画像が表示され使用者に不快感を与えることになる。
図１７のフローチャートを用いて、上述の手順をくわしく説明する。ステップ５０ａで光ディスクが装着され、ステップ５０ｂでディスクのコンテンツリストのファイルを読み込む。ここには立体映像の情報はない。ステップ５０ｃで立体映像配置情報を読む。
ステップ50dで、読み込んだ立体配置情報に基づき、ディスク内のコンテンツリストを表示する時にメニュー画面に各コンテンツごとに立体表示のマーキングを表示する。こうして、ユーザーは立体映像の存在を識別できる。この情報は光ディスク全体に一つあっても、DVDの各データ単位のナビゲーション情報に入れてもよい。
ステップ50eでは、特定アドレスのデータを再生し、ステップ50fでは、立体映像配置情報を参照して、このデータが立体映像であるかを判別する。もし、Yesであれば、ステップ50gで立体映像配置情報のデータから例えば第1タイムドメイン46が、R信号で第2タイムドメイン47がL信号なら、各々の信号をデコードし、第1タイムドメイン46のデータを右眼用画像として出力し、第2タイムドメイン47のデータを左眼用画像として出力する。各々の画像は同期させる。次のデータを再生する時はステップ50e、50fに戻り、立体映像であるかをチェックする。立体映像でない場合は、ステップ50hに進み、例えば第1ドメイン46もしくは第2タイムドメイン47のいずれか一方のデータを、右眼用画像と左眼用画像として同一の画像を出力する。
こうして左右の眼に異なるコンテンツの画像が出力されることが防止される。
次に本発明ではインターリーブブロック方式の通常映像を再生する場合と、インターリーブブロック方式の立体映像を再生する場合とでは手順を変え再生している。この本発明の工夫を述べる。
図14にタイムチャート図の（1）の光ディスク上の記録データに示すように、第1インターリーブブロック56にはA1のデータと、次にアクセスすべき第1インターリーブブロック56aの先頭アドレスa5が記録されている。つまり、次のポインター60が記録されているため、図14の（2）に示すように、第1インターリーブブロック56を再生し終えると、ポインター60aのアドレスをアクセスするだけで、トラックジャンプして、100ミリ秒の間に、次の第1インターリーブブロック56aをアクセスし、A2のデータを再生することができる。同様にしてA3のデータも再生できる。こうして、コンテンツA3を連続的に再生できる。
これに対し、図14の（3）で示すRとLの立体映像が記録された光ディスクは、互換性を保つため図14の（1）と同じフォーマットにする必要があるため、同じポインタ60が入っている。このためポインタを無視しないと立体映像は再生できないことになる。
また、立体映像論理配置表から、各セルの立体識別子61は定義できる。このため各インターリーブブロック54、55、56、57の立体識別子61も論理的に定義できる。これを図に示す。R1とL1を再生しジャンプしてR2とL2を再生するには、ポインタをそのまま使えない。具体的にRインターリーブブロック54を再生完了するとポインタa5のアドレスをアクセスするのではなく、次のLインターリーブブロック55を再生した後、Rインターリーブブロックのポインタであるa5にトラックジャンプしてアクセスする。この場合、Lインターリーブブロック55のポインタ60bは無視されたことになる。立体識別子が1のインターリーブブロックを再生するときは、ポインターアドレスのアクセス手順を通常映像の場合と変えることにより、図14の（4）のようにRとLを連続的に再生できるという効果がある。
では図15、16のフローチャート図を用いて、立体映像識別情報を用いて、インターリーブブロックのアクセス時のポインタを変更する手順を述べる。
まず、ステップ62aで特定のセルのアドレスへのアクセス命令がくる。ステップ62bでアクセスすべきアドレスを立体映像配置情報を参照し、立体映像かを判別する。ステップ62cで、立体映像でなければステップ62tへ進み、通常映像の1処理を行う。ステップ６２ｃで立体映像であれば、ステップ62dへ進み、使用者等の立体映像を再生するかをチェックし、NOなら“立体映像”の表示を画面に出力させ、ステップ62tへ進む。
さて、ステップ62dがYesなら、ステップ62eで立体映像配置情報を読み出し、チャプター番号やRのセル番号、Lのセル番号等からRやLのインターリーブブロックの配置を算出する。ステップ62gで、第n番目のRインターリーブブロックを再生し、ステップ62hでRインターリーブブロックとLインターリーブブロックに記録されているポインタを読み出し、ポインタメモリに記憶する。ステップ62iで前回、つまりn-1回目のポインタAL（n）をポインタメモリより読み出す。ステップ62jでAL（n）とAR（n）が連続しているかをチェックし、NOであれば、ステップ62kでアドレスAL（n）へジャンプする。
図16に移り、ステップ62mでは、n番目のLインターリーブブロックを再生し、ステップ62nでn+1のポインタアドレスを再生する。ステップ62Pは全データを再生完了したかをチェックする。ステップ62qでは、n番目のLインターリーブブロックと（n+1）番目のRインターリーブブロックが連続記録されているかをチェックし、連続していないなら、ステップ62rでAR（n+1）へトラックジャンプして、ステップ62fへ戻る。Yesの場合はステップ62fへ戻る。
さて、ステップ62tの立体映像を表示しない場合はhセルの開始アドレスA（1）をアクセスし、1番目のインターリーブブロックを再生し、次にステップ62uでアドレスA（n）のn番目のインターリーブブロックを順次再生していく。この時、各インターリーブブロックには、次の続きのインターリーブブロックにトラックジャンプして、アクセスするためのポインタアドレスA（n+1）をステップ62vで読み出し、ステップ62wでデータ再生が全て完了したかをチェックし、完了ならAのフローチャートの最初のステップ62aに戻る。完了してなければ、ステップ62xでA（n）とA（n+1）の開始アドレスをもつインターリーブブロックが連続しているかをチェックし、Yesならジャンプしないでステップ62uの前のステップに戻る。NOならステップ62yでアドレスA（n+1）へジャンプする。
次に図20に示す２倍速のプログレシブやスーパーワイド画像や７２０Ｐ再生用の再生装置のブロック図を用いて、本発明の再生装置65での再生動作を詳しく説明する。光ディスク1から再生した信号は、1GOP単位以上のフレーム信号からなる第1インターリーブブロック66、第２インターリーブブロック67単位に、分離部68で分離される。伸長部69でMPEG伸長された、秒30フレームのフレーム映像信号70a、70bはフィールド分離部71a、71bで奇数フィールド信号72a、72bと偶数フィールド信号73a、73bに分離され、2chのNTSCのインターレース信号74a、74bが出力される。図２０のワイド画面に関しては後述する。
次に図22を用いて、プログレシブ映像信号の場合のエンコードの動作を述べる。t=t1とt2でプログレシブ映像信号75a、75bが入力され、合成部76でt1とt2の信号が合成信号77として一旦合成される。合成信号77は分離部78でジグザグに取り出し、奇数インターレース信号79a、79bと偶数インターレース80a、80bを作成する。この奇数インターレース信号79a、79bと偶数インターレース信号80a、80bを各々合成して、フレーム信号81a、81bを合成する。MPEGの圧縮部82a、82bで圧縮した圧縮信号83a、83bを10〜15フレーム1GOP以上集めたインターリーブブロック84a、84b、84cを作り、同一のプログレッシブ信号から分離された圧縮信号にタイムスタンプ付加手段により同一のタイムスタンプを付加した上で、光ディスク85上に記録する。
このブログレシブ信号の入った光ディスク85は、図21の２倍速の再生装置86で再生され、分離部87でインターリーブブロック単位で再生され、インターリーブブロック84a、84cとインターリーブブロック84bの2つのストリームに分離され、伸長部88a、88bで720×480画素のフレーム信号89a、89bに伸長される。フィールド分離部71a、71bで奇数フィールド72a、72bと偶数フィールド73a、73bに時間軸上で分離される。ここまでは図20の再生装置65と同じ動作である。
しかし、図21では、合成部90でAチャンネル91とBチャンネル92の奇数フィールド72a、72bを合成する。偶数フィールド73a、73bも同様である。こうしてAチャンネル91とBチャンネル92はジグザグ状に合成されて、60フレーム／秒のプログレシブ信号93a、93bが得られ、プログレシブ映像出力部94より出力される。
こうして、本発明の再生装置により、プログレシブ映像信号、つまりNTSC信号をインターレースしない525本、この場合480本の信号が得られる。再生部95は２倍速再生をする。
この場合、映画ソフトの記録された従来の光ディスクを再生してもプログレッシブ映像が得られるという効果がある。
なお、図２０で、インターレース信号再生用の１倍速再生装置用の映画ソフトが入った光ディスクを再生する場合、映画ソフトは元々１秒２４コマのフレーム信号（プログレシブ信号）であるため、ＭＰＥＧデコーダ内では２４コマのプログレシブ信号が得られる。映画ソフトであることを検知手段で検知、もしくは図４９に示す３−２変換部１７４で２４フレームを６０フレーム／秒のプログレシブ信号に変換することにより、プログレシブ信号が再生される。インターレース出力する時は、フィルタ識別子をみてプログレシブ信号を垂直フィルタ部でフィルタリングすることにより、妨害のないインターレース画像が得られる。
ここで、図22でエンコードした光ディスク85を図20のプログレシブ対応の再生装置65にかけて再生するとAチャンネルのインターレース信号74aが再生される。インターレース型の従来のDVDプレーヤはAチャンネルとBチャンネルのうちAチャンネルだけを持っている。このことから本発明の光ディスク85を従来のインターレース型のDVDプレーヤに装着した場合、Aチャンネルのインターレース信号が得られることがわかる。つまり本発明の光ディスクは本発明の再生装置ではプログレシブ信号が、従来の再生装置では同じコンテンツのインターレース信号が得られ、完全な互換性が実現するという効果がある。
なお、この場合図22のMPEGエンコーダにインターレース妨害除去圧縮フィルタ１４０を加えると、周波数特性は少し下がるがAチャンネルとBチャンネルの間の折り返し歪を減らすことができる。
次に立体映像のエンコードについて、さらに詳しく述べる。
図23に示すように記録装置99に、右眼信号97と左眼信号98が入力される。インターレース信号であるため、60分の1秒毎に奇数フィールド信号72a、72bと偶数フィールド信号73a、73bが入力される。この信号を合成部101a、101bで合成して30分の1秒毎のフレーム信号102a、102bに変換する。圧縮部103a、103bで、圧縮した圧縮信号83a、83bを1GOP以上の集合にまとめて、インターリーブブロック84a、84b、84cをつくり、交互に配置して、光ディスク1上に記録する。この光ディスク1を図２４に示す本発明の再生装置で再生した場合、前述の図5の立体／PG映像配置情報再生部26が、ディスク中のPG識別子を検出して、図24のように立体再生モードになった再生装置104のブロック図を用いて説明する。光ディスク1dの中の立体映像はまず分離部68でAチャンネルとBチャンネルに分けられ、伸長部88a、88bで伸長され、フィールド分離部71a、71bでフィールド信号に分離される。ここまでの動作は、図21の場合と同じである。
図24の特徴としては、フィールド分離部71aが、奇数フィールド信号と偶数フィールド信号を出力変換部で出力順序を切り換えて出力させる点にある。まず、プログレシブTVつまり、120Hzのフィールド周波数のTV用には、Aチャンネルの奇数フィールド信号72a、Bチャンネルの奇数フィールド信号72b、Aチャンネルの偶数フィールド信号73a、Bチャンネルの偶数フィールド信号73bの順番で送る。すると右眼左眼が交互にかつ、奇数フィールド、偶数フィールドの順で出力されるので、スイッチ型の立体メガネを使うことにより、フリッカのない、かつ時間情報が一致した映像がプログレシブ出力部105より得られる。
次に一般TVへの出力としては、上記のうち、Aチャンネルの奇数フィールド72aとBチャンネルの偶数フィールド73bをNTSC出力部106より出力することにより、フリッカはあるが、動きの自然な立体映像が立体目がねより得られる。
以上の本発明のプログレシブ方式と立体映像再生方式を組み合わせると、左と右のプログレシブ画像の高品位の立体映像が得られる。図25を用いて説明する。この再生装置107は4倍速のレートで再生するため、4倍速の再生能力を要する。しかし、DVDでは通常の転送レートの80％でよい。もし図25のように連続して右のプログレシブ信号A、Bと左のプログレシブ信号C、Dのインターリーブブロック108a、108b、108c、108dを間隔なく配置すると、光ピックアップはジャンプする必要がなく、連続再生すればよい。DVDの場合80％の情報に制限されるため、連続再生では4倍速に対して、3、2倍速でよい。このように連続配置することにより、再生速度を低減できるという効果がある。
さて、説明に戻ると、分離部109により、前述のようにインターリーブブロック108a、108b、108c、108dは分離され、A、B、C、Dの4チャンネルの信号が再生される。伸長部69a、69b、69c、69dで伸長された映像信号は、図21と同様合成部90a、90bで各々合成され2つのプログレシブ信号がプログレシブ出力部110a、110bから出力される。各々が左眼用信号、右眼用信号であるため、再生装置107からはプログレシブの立体映像が出力される。この場合4倍速のブロックのMPEGチップを使えば1チップで処理できるため部品点数の増大はない。また、4つの異なるコンテンツの映像を記録し、再生することができる。この場合、1枚のディスクで4面のマルチスクリーンTVに同時表示できる。
本発明の特徴は全ての間に互換性がある点にある。図25のディスク106を従来のDVD等の再生装置で再生した場合は、右眼もしくは左眼のどちらかのインターレース信号が出力される。画像の劣化はない。ただし、4分の1の時間しか再生できない。しかし、DVDの2層貼り合わせを使えば、2時間15分入るためほとんどの映画作品は入る。
次に本発明の2倍速の立体／プログレシブ対応の再生装置では、立体のインターレースもしくは、1チャンネルのプログレシブの画像をユーザーが、図9の入力部19からチャンネル選択部20を介して制御部21に命令を送れば、好みの映像に切り替えられる。以上のように過去のモノラルレコードとステレオレコードのように完全互換性を保てるという大きな効果がある。
こうして本発明の2倍速、4倍速の再生装置により、様々な画質、撮影法の画像が得られる。
以上のように本発明では立体映像識別子がない時はポインタを読んで、ジャンプするだけでよいが、立体映像識別子がある時は1つ前の片方のインターリーブブロックのポインタを読み、アクセスするように再生手順を変えることにより、フォーマットを変えないで立体映像を記録できるという効果がある。
ここで、スコープサイズの映画の画面を2つの画像に分割して、記録再生する方法を述べる。
図20では、本発明の2倍速の再生装置で、2画面のインターレース信号を記録した光ディスク1を再生する方法を述べた。図40ではこのことを応用してスコープサイズの（2.35:1）のスーパーワイド画像154を画面分割部155で中央画像156、サイド画像157、158の3つの画面に分割し、分割位置をセンターシフト量159で表す。中央画像156dを第1映像信号156dとし、サイド画像157d、158dを合わせて、第2映像信号として圧縮し、インターリーブ部113でインターリーブしてセンターシフト量159とともに光ディスクに記録する。この場合、第2映像信号はつぎ合わせた異質の画像であるので、再生されることは望ましくない。そこで第2映像信号制限情報付加部179により、光ディスクのファイル管理情報領域に、第2映像信号のストリームにパスワードプロテクト等の再生制限情報を付加する。すると、再生装置では、第2映像信号を単独で再生することができなくなる。こうして第2映像信号の単独出力制限分割画面の異常な画像を視聴者がみることを防ぐことができる。この場合、プログレシブ対応プレーヤでは第1映像信号と第2映像信号の双方を再生し、ワイド画面を出力することができる。
このディスクを図20の再生装置で再生すると、まず、第2映像信号は単独で出力されない。光ディスクからはセンターシフト量159がセンターシフト量再生部159bから再生される。このシフト量159を用いてワイド画像合成部173において、スコープ画像を合成し、3-2変換部174において、図41に示す3-2プルダウン変換を行い、映画の24フレームを60フィールド／秒のインターレース信号、もしくは60フレーム／秒のプログレシブ信号に変換する。図41に示すように伸長とワイド画像合成が行われる。3-2変換部174での3-2変換処理を述べると、1秒に24フレームある合成画像179の合成画像179aは、3枚のインターレース画像180a,180b,180cとなり、合成画像179bは2枚のインターレース画像180d,180eとなる。こうして24フレーム／秒の画像は60フィールドのインターレース画像となる。プログレシブ画像181を出力する時は、そのまま3枚のプログレシブ画像181a,181b,181cと2枚のプログレシブ画像181d,181eを出力すればいよい。
また、第2の画面分離の方法として、図40に示すように1440×480の画面154の各画素を画像水平方向分離部２０７で水平方向の２画素を1画素ずつ分離すると720×480画素の2つの水平分離画面190a,190bに分離できる。これを同様に手法で第1映像信号、第2映像信号として圧縮し、光ディスク191に記録する。この場合、水平方向の、折り返し歪みが発生するので、水平フィルタ２０６で図４６の水平フィルタ２０６のように２画素を特定の加算比で加算し、水平方向の高域成分を減衰させる。このことにより、既存の再生装置で７２０ドットで再生した時のモアレを防げる。
この光ディスク191を図20の再生装置65で再生すると、水平分離画面190a,190bが復号され、ワイド画像合成部173で合成すると元の1440×480画素の画面154aが再生される。映画ソフトの場合、3-2変換は図41に示すようにして画面154aを合成して3-2変換を行う。
この第2の画面の水平分離方法は、第1映像信号も第2映像信号も元の１４４０×４８０画素を水平方向に半分にした720×480画素の通常の映像が記録されているため、DVDプレーヤ等の通常の再生装置で誤って第2映像信号を再生しても、元と同じアスペクト比の映像が出力されるので、互換性が高いという効果がある。こうしてこの分離方式により、一般再生装置ではインターレース画像、対応再生装置では525プログレシブ画像、720Pの高解像度対応再生装置では720Pのスコープ等のワイド画像を再生できるという効果がある。映画素材の場合は2倍速で実現できるため効果が高い。
これを発展させると、図44において、1440×960のプログレシブ画像182aを画像分離部115の水平垂直分離部194で水平垂直方向に例えば、サブバンドフィルタやウェーブレット変換を用いて分離する。すると525プログレシブ映像183が得られる。これを525インターレース信号184分離して、ストリーム188aで記録する。
一方残りの補間情報185を同様にして4つのストリーム188c,188d,188e,188fに分離してインターリーブブロックに記録する。各インターリーブブロックの最大転送レートはDVD規格で8Mbpsであるため、補間情報を4つのストリームに分割した場合、32Mbps、6アングルの場合、48Mbpsを記録するため、720Pや1050PのHDTVの映像を記録できる。この場合、従来の再生装置ではストリーム188aを再生し、インターレース映像184が出力される。また、ストリーム188c,188d,188e,188fには画像処理制限情報発生部179により、出力制限情報が光ディスク187に記録されているので、見づらい画像の差分情報等の補間情報185が誤って出力されることはない。こうして、図44の方式で水平垂直双方向に分離することにより、HDTVとNTSCの互換性のある光ディスクが実現するという効果がある。
図２０において、インターレース信号はインターレース変換部175でインターレース信号に変換し出力し、スコープ画面178を得る。525Pプログレシブ信号も同様にスコープ画面178として出力される。また、720Pのモニターで見る場合は、525P信号を525P/720P変換部176において、720Pのプログレシブ信号として変換し、1280×720もしくは、1440×720（画像は1280×480又は1440×480）のレターボックス型の720P画面177が出力される。スコープ画像（2.35:1）は1128×480となるので近いアスペクト比の画像が得られる。特に、映画ソフトの場合、24フレーム／秒なので、プログレシブ画像は4Mbpsのレートになる。スコープ画像を2画面分割の本発明の方式で記録した場合、8Mbpsとなり、DVDの2層ディスクに約2時間記録できるため1枚にスコープ画像の720P、もしくは525Pの高画質のプログレシブ画像が記録できるという効果がある。また、従来TVでも、当然インターレース出力信号で表示される。このように映画のスコープ（2.33:1）画面を525Pもしくは720Pで出力できるという効果が得られる。
ここで、図５１で具体的に１０５０インターレース信号を記録再生する方法を述べる。１０５０インターレース信号の偶数フィールド２０８ａを水平分離手段２０９で２つの画像２０８ｂ、２０８ｃに分離し、垂直分離手段、２１０ａ、２１０ｂで画像２０８ｄ、２０８ｅに分離し、同様にして、画像２０８ｆ、２０８ｇを得る。奇数フィールド信号２１１ａも同様にして分離し、画像２１１ｄ、ｅ、ｆ、ｇを得る。この場合、画像２０８ｄと画像２１１ｄがメイン信号となり、既存の再生装置でＤＶＤのインターレース映像が得られる。インターレース妨害等を防ぐため、水平フィルタ２０６ｂ、２０６ｃと垂直フィルタ２１２ａ、２１２ｂを挿入することにより、再生画像の折り返し歪みは減少する。
図２７、図２８、図４２、図４９でファイル構造と画像の識別子を述べる。図２７はＤＶＤの論理フォーマットに示す。各論理ブロックの中にビデオファイルが記録されている。図２８に示すようにシステムストリームの中の最小単位はセルと呼ばれており、この中に図４２に示すように１ＧＯＰ単位の映像データと音声データとサブピクチャーがパケットで記録されている。
第１ストリームのメイン信号のセル２１６（図１８参照）の中のパケット２１７の中のＰｒｏｖｉｄｅｒ  ｄｅｆｉｎｅｄ  ｓｔｒｅａｍは２０４８バイトの容量をもつ。この中にプログレシブかインターレースかを示すプログレシブ識別子２１８、解像度が５２５本、７２０本、１０５０本であることを示す解像度識別子２１９、補間信号が主信号との差分信号であるかを示す差分識別子２２０、後述するフィルタ識別子１４４、第１の副ストリームのストリーム番号を示す副ストリーム番号情報２２１が記録されている。
図５２を用いてこの画像識別子２２２を用いて再生する手順を示す。
光ディスクからは、まず管理情報２２４から再生手順制御情報２２５を読み出す。この中にはＶＯＢの制限情報があるため、既存の再生装置では、第０ＶＯＢ２２６ａからメイン映像が記録された第１ＶＯＢ２２６ｂにしか接続されない。第０ＶＯＢ２２６ａから差分情報等の補間信号が記録された第２ＶＯＢ２２６ｃに接続されないため、前述のように差分情報のような見苦しい画像が既存の再生装置から再生されることはない。次にメイン信号の各ＶＯＢには画像識別子が記録されており、第１ＶＯＢ２２６ｂと第２ＶＯＢ２２６ｃはプログレシブ識別子＝１、解像度識別子＝００（５２５本）なので、５２５本のプログレシブ信号がプログレシブプレーヤＨＤプレーヤからは再生される。
次のＶＯＢ２２６ｄの画像識別子２２２はプログレシブ識別子＝０、解像度識別子２１９＝１０なので、１０５０本のインターレース信号であり、ＶＯＢ２２６ｅ、ＶＯＢ２２６ｆ、ＶＯＢ２２６ｇの３つのＶＯＢが補間情報であることがわかる。こうして従来プレーヤではＮＴＳＣ、プログレシブプレーヤで、水平画素数７２０本の１０５０本のインターレース、ＨＤプレーヤでは１０５０ｃのフル規格のＨＤＴＶ信号が出力される。こうして画像識別子２２２により、様々な映像信号がインターリーブ記録でき、再生できる。なお、この画像識別子２２２は管理情報２２４に記録してもよい。
ここで、図５３を用いて各インターリーブブロックによるサブトラックのＶＰＴＳ（Ｖｉｄｅｏ  Ｐｒｅｓｅｎｔａｔｉｏｎ  Ｔｉｍｅ  Ｓｔａｍｐ）つまり、デコード出力時の時刻の関係を述べる。第１ＶＯＢ２２６ｂは、メイン信号のインタリーブブロック２２７ａ、２２７ｂ、２２７ｃがＶＰＴＳのＶＰＴＳ１、２、３とともに記録されている。第２ＶＯＢ２２６ｃにはインターリーブブロック２２７ｄ、２２７ｅ、２２７ｆがＶＰＴＳ１、２、３ともに記録されている。従来プレーヤでは１倍速で、インターリーブブロック２２７ａ、２２７ｂ、２２７ｃを再生する。メイン信号には音声が入っているので音声も再生される。一方プログレシブ対応プレーヤでは、まずサブ信号である第２ＶＯＢ２２６ｃのインターリーブブロック２２７ｄから再生し、一旦バッファメモりに蓄える。蓄え終わるとメイン信号の第１ＶＯＢ２２６ｂのインターリーブブロック２２７ａを再生し、この同期情報でＡＶ同期をとる。音声もメイン信号に記録されているので、図５３（２）（３）に示すようなメイン信号、サブ信号の出力が音声と同期する。この場合トラックジャンプはインターリーブブロック２２７ａとインターリーブブロック２２７ｅの間に行う。
こうして、図５３（４）のプログレシブ信号が出力される。このように再生装置側で、各インターリーブブロックの同じＶＰＴＳをチェックすることにより、メイン信号とサブ信号を同期してデコードし、合成することにより、正常なプログレシブ信号を得るという効果がある。
図５４はＮＴＳＣ信号とＨＤＴＶ信号をそれぞれ、独立して、同時間にインターリーブ記録するサイマルキャスト方式の場合の信号の配置を示す図である。この場合はメイン信号であるＶＯＢ２２７ａにはＮＴＳＣの映像と音声２３２が記録される。ＶＯＢ２２７ｂ、ＶＯＢ２２７ｃにはＨＤＴＶの圧縮映像信号の約１６Ｍｂｐｓの信号が８Ｍｂｐｓずつに分割されて本発明のインターリーブ方式で光ディスク上に記録されている。図５４（１）、（２）の従来のプレーヤやプログレッシブ対応プレーヤではＮＴＳＣの（５２５ｉ）信号が再生される。しかし図５４（３）のＨＤＴＶプレーヤでは、第１ＶＯＢ２２７ａから音声データのみをもらい、ＶＯＢ２２７ｂ、２２７ｃから第１サブ映像と第２サブ映像を再生し、合成し、図５４（３）に示すように、１６ＭｂｐｓのＨＤＴＶ信号を再生する。この場合サブ信号の再生は再生手順制限情報２２５により制限されているので、既存のＤＶＤプレーヤで使用者が操作を誤っても、ＨＤＴＶ圧縮信号が再生されることはない。こうして、従来のプレーヤではＮＴＳＣが、ＨＤＴＶプレーヤでは、ＨＤＴＶ信号が出力されるという両立性が得られる。このブロック図を図５５に示す。詳しい動作は他と同じであるため省略するが、光ディスクからの再生信号は、インターリーブブロック分離部２３３により分離され、メイン信号の音声はＮＴＳＣデコーダ２２９の音声デコーダ２３０によりデコードされ、第１サブ信号と第２サブ信号の８ＭｂｐｓのストリームはＨＤＴＶデコーダ２３１でデコードされ、ＨＤＴＶ信号がデコードされる。こうしてＨＤＴＶ信号と音声信号が出力される。この場合、まずサイマルキャストにより、従来機でもＮＴＳＣで再生できるという効果がある。さらに本発明では２インターリーブストリームをもちいると１６ＭｂｐＳの転送レートが得られるので、標準的なＨＤＴＶのＭＰＥＧ圧縮信号をそのまま記録できるという効果がある。次にＤＶＤでは２つのインターリーブブロックで１６Ｍｂｐｓしか記録できない。一方ＨＤＴＶ圧縮映像信号は１６Ｍｂｐｓである。このため音声データは記録できない。しかし本発明のように、メイン信号のＮＴＳＣ信号の音声データを使用することにより、２つのインターリーブでＨＤＴＶを記録しても、音声出力が記録できるという効果がある。
ここで、インターレース妨害の除去の方法について述べる。プログレッシブ信号を間引いてインターレース信号に変換すると、折り返しが発生し、低域成分のモアレが発生する。また３０Ｈｚのラインフリッカーも発生する。これを避けるため、インターレース妨害除去手段を通す必要がある。すでに説明した図22の記録装置99のブロック図のプログレシブインターレース変換部139のプログレシブ信号部にインターレース妨害除去手段140を入れる。入力されたプログレシブ信号は、まず、インターレース妨害画像検知手段140ａにより、インターレース妨害が起こる確率の高い画像信号を検出し、この画像信号のみをインターレース妨害除去フィルタ141に通す。例えば垂直方向の周波数成分の低い画像の場合、インターレース妨害は起こらないので、フィルタバイパスルート143により、フィルタを迂回する。このことにより、画像の垂直解像度の劣化を軽減できる。インターレース妨害除去フィルタ141は垂直方向のフィルタ142で構成される。
図４６（ａ）の時間、空間周波数図に示すように、斜線部が、インターレースの折り返し、歪発生領域２１３である。
これを除去するには垂直フィルタを通せばよい。具体的な方法としては、図４６（ｃ）に示すように、３本のラインメモリー195を設け、480本のプログレッシブのライン信号を対象ライン（第ｎライン）の画像情報と前後のライン（第ｎ-１、ｎ＋１ライン）の３本の画像情報を加算器196で加算比で加算すると１本のライン画像情報が得られ２４０本のインターレース信号ができる。この処理により垂直方向にフィルターがかかり、インターレース妨害は軽減できる。３本のラインの加算比率を変えることによりフィルター特性を変更することができる。これを垂直３ラインタップフィルターと呼ぶ。中心と前の２本のラインの加算比を変更することにより、より簡単な垂直フィルターを得ることができる。図４６（ｄ）に示すようにライン情報は単純な垂直フィルタでなく、例えば前のフレームのｎ−１ラインと次のフレームのｎ＋１番目の偶数ラインを同一空間上に展開した上で、垂直フィルタリングを施すこともできる。この時間垂直フィルター２１４により、プログレシブ非対応のDVDプレーヤで、プログレシブ信号を記録した光ディスクを再生し、インターレース信号のみを視聴した時に生ずるインターレース妨害が軽減されるという効果がある。また、水平フィルタ２０６ａは水平方向の２画素を加算して１画素を合成することにより実現する。しかし、フィルタをかけると当然プログレシブ映像の解像度が劣化する。インターレース妨害画像検知手段140により、妨害の少ない画像にフィルタをかけないことや垂直フィルターの加算器の加算比を変更することにより、フィルタ効果が弱くなるので、プログレシブ画像再生時の劣化が軽減するという効果がある。また、本発明のプログレシブ対応型の再生装置では、後述するようにフィルタを記録時にかけなくても、再生装置側のフィルターでインターレース妨害を除去できる。将来はプログレシブ対応型再生装置に置き換わることから、将来は記録時のフィルタは不要となる。そのときはフィルタリングされた光ディスクとフィルタリングされない光ディスクが存在するため、インターレース妨害検知手段140はフィルタリングを入れた画像に対し、それを識別できる識別子であるインターレース妨害除去フィルタリング識別子144を出力し、記録手段9により光ディスク85上に記録する。
図５０に具体的なフィルタ識別子の記録法について述べる。ストリームの中のＭＰＥＧの画素単位である１ＧＯＰの中のヘッダにフィルタ識別子１４４を入れる。”００”ではフィルタなし、”１０”では垂直フィルタ、”０１”では水平フィルタ”１１”では垂直水平フィルタを通過した信号であることを示す。最低１ＧＯＰ単位で入っているので、再生装置で１ＧＯＰ毎にフィルタをＯＮ／ＯＦＦできるので、２重にフィルタを入れて画質劣化をさせることを防げる。
次にこの光ディスク85を再生装置86aで再生した場合の動作を図32（a）、（b）を用いて説明する。図21と同様にして2つのインターレース画像84a,84bを再生し、プログレシブ画像93aを一旦合成する。ただし、インターレース妨害除去フィルタリング識別子144がONの時やスロー、静止画の特殊再生をしない時で、かつプログレシブ画像を出力しない時は、直接インターレース出力145により1倍速回転で、インターレース信号を出力する。この場合省電力効果がある。
特殊再生を行う場合やインターレース妨害除去フィルタリング識別子144がオフの時は制御部147より2倍速命令146がモーター回転数変更部35に送られ、2倍速で光ディスク85は回転し、プログレシブ画像が再生される。
こうして再生されたプログレシブ画像をインターレース信号としてインターレースTV148に出力する場合にインターレース妨害を除去する方法を述べる。インターレース妨害除去フィルタリング識別子144がオフの時は、判別切替回路149を切り替えて、プログレシブ信号をインターレース妨害除去フィルタ１４１を通過させた後、インターレース変換部１３９において、2枚のフレーム93a,93bから2枚の奇数インターレース信号72aと偶数インターレース信号73aを出力し、通常のインターレース信号を出力する。この場合、インターレースTV148にはインターレース妨害のない画像が表示される。インターレース妨害フィルタによるインターレース信号への影響は少ないため、インターレース信号の劣化はない。一方、プログレシブ信号出力部２１５には、インターレース妨害除去フィルタが入ってないプログレシブ信号が出力される。従って、再生装置側でインターレース妨害除去フィルタON,OFFする方式により、劣化のないプログレシブ画像とインターレース妨害等の劣化のないインターレース画像の出力が同時に得られると言う大きな効果が得られる。
なお、1/2倍速以下のスロー再生、静止画再生においては、インターレース妨害は減るので除去フィルタを弱くする。
次に特殊再生の画質を向上させる工夫を述べる。操作入力部150を介して制御部147より、スロー、静止画再生の命令がスロー静止画再生手段151に入力された場合、インターレース変換部149はフレーム処理部152により、1枚のフレーム93aの480本のラインを2つのフィールドに分配して、奇数インターレース信号72ｂと偶数インターレース信号73ｂを作成し、出力する。するとインターレースTV148には、ぶれのない480本の解像度のインターレースの静止画もしくはスロー再生画像が表示される。従来のインターレース方式の再生装置ではぶれのない静止画、スローを得られるためには240本に解像度を落とす必要があったが、本発明ではインターレースから一旦プログレシブに変換し、インターレースに変換することにより、480本の解像度のインターレースのスロー、静止画が得られるという効果がある。なお、図32（a）におけるステップ153a〜153gはこの手順をフローチャートで示した物であるが、説明は省略する。
次に図26では、2チャンネルのストリーム、例えばカメラ1とカメラ2の映像がインターリーブされているディスクから第1のストリームを再生し、途中で第2のストリームに切り換え、連続的に出力する方法を述べる。
図35を用いて、コンテンツが複数のストーリー、つまりストリームが多重化されている場合、特定のストリームから他のストリームへ切れ目無くスムーズに切り換える方法を述べる。図35の（1）に示すように、光ディスク106の中には異なる2つのストーリーが、第1映像信号と第2映像信号の2つのストリームつまり、第1ストリーム111と第2ストリーム112として、基本的に略々同一半径上に記録されている。
この場合、通常は基本ストーリーである第1映像信号のみを再生するので、第1ストリーム111aの次には次の第1ストリーム111bが連続して再生出力される。しかし、使用者がt=tcの時点で、図5の命令入力部19より、第2映像信号へ切り換える命令を出した場合、t=tcの時点で、第1ストリーム111aから第2ストリーム112bへ図5のトラッキング制御回路22を用いて、別の半径位置にあるトラックをアクセスし、出力信号を第2映像信号の第2ストリーム112bに切り換える。
こうして図35の（2）に示すように第1映像信号がt=tcの時点で、第2映像信号の映像と音声とサブピクチャーは切れ目なくシームレスで切り替わる。
この映像、音声、サブピクチャーを同期させて、シームレス再生を実現する工夫に関しては、後で述べる。
図35（3）（4）のタイミングチャートを用いてさらに、具体的なデータの再生手順を述べる。図22の記録装置のブロック図で説明したように第1映像信号のプログレシブ画像はOdd line Firstのメインのインターレース映像信号A1〜AnとEven line Firstのサブのインターレース映像信号B1〜Bnに分離され、各々、第1アングルと第2アングルのサブチャンネルに別々に記録される。また、図22では省略したが、第2映像信号のプログレシブは同様にして、メインのインターレース映像信号C1〜Cnとサブのインターレース映像信号D1〜Dnに分離され、図35（3）のように各々第3アングルと第4アングルに別々に記録される。図35（3）は図36の原理図をタイムチャートで説明したもので、動作は同じである。
図36は図22の記録装置のインターリーブ部に絞り、説明した物である。2つのストリームつまり、第1映像信号のプログレシブ信号を第1映像信号分離部78aで、Odd Firstのメイン信号とEven Firstのサブ信号の2つのインターレース信号に分離する。この場合、情報量を減らすために、メイン信号とサブ信号の差分信号を差分部116aで求め、メイン信号と差分信号を圧縮して、ディスクに記録することにより、記録情報量を減らすことができる。プログレシブ映像の場合、隣接する奇数（Odd）ラインと偶数（Even）ラインの相関はかなり強いため、両者間の差分信号の情報量は少ない。差分をとることにより記録情報量を大幅に削減できるという効果がある。
この差分器116aを用いる本発明の分割記録方法は、図44に示すように720Pつまり、720ラインのプログレシブ信号182や1050Pのプログレシブ映像182aを画像分離部115で525の基本情報187とプログレシブ映像183や525インターレース映像184と補完情報186に分離する。差分器116aにより、基本情報187と補完情報186の差分情報185を求め、この差分情報185を第2映像信号分離部78cと第3映像信号分離部78dにより、計4つのストリーム188c,188d,188e,188fのストリームに分離できる。これらを圧縮部103に送り、インターリーブ113aでインターリーブして6つのストリームを光ディスク187の各アングルに記録する。
この時ストリーム188c,188d,188e,188fは差分情報もしくは補完情報であるため、再生装置で復号されても、TV画面に出力された場合、正常なTV画像ではないため、視聴者に不愉快な印象を与えてしまう。そこで、本発明では、補完情報186を含むストリーム188c,188d,188e,188fのアングルが、非対応の過去の再生装置で出力されないように、画像出力制限情報発生部179で、制限情報を発生し、光ディスク187に記録しておく。具体的にはDVD規格には特定のストリームをパスワードがないと開かないように設定する。ストリーム188c,188d,188e,188fにパスワードプロテクトをかけることにより、従来の再生装置では容易に開くことができず、補完情報186を復号した異常な画像を視聴者が誤ってみるという事態を避けるという効果がある。
図３６に戻り、こうして第1映像信号は圧縮されて、メイン信号は1GOP以上の単位のA1,A2のインターリーブブロック83b,83dとなる。一方、第2映像信号のメイン信号はC1,C2のインターリーブブロック83a、サブ信号はB1,B2のインターブロック83e,83g、サブ信号はD1,D2のインターリーブブロック83f,83hとなる。以上の4つのデータから図36に示すように、記録ストリーム117が生成される。記録ストリーム117では、A1,B1,C1,D1,A2,B2,C2,D2の順に配列され、記録手段118により光ディスク155上に記録される。プログレシブ信号レベルでみると、A1,B1,A2,B2は第1映像信号であるため、第1映像信号、第2映像信号、第1映像信号、第2映像信号の順に記録される。AV同期制御部のシームレス再生に関しては後で述べる。
なお説明では、各インターブロックユニットに１ＧＯＰ以上のＭＰＥＧ信号を記録すると記載したが、厳密には、１インターリーブユニットは約０．５秒以下に制限されているので、映像信号は最大３０フィールド分しか記録できない。従って１インターブロックユニットには最大３０ＧＯＰしか記録できない。つまり本発明の一つのインターリーブユニットは１ＧＯＰ以上３０ＧＯＰ以下の記録に制限される。
さらにDVDディスクに記録する場合は、DVD規格を満たさないと正常に再生することができない。DVD規格では、各チャプターつまり各VOBはOdd line Firstで始まる必要がある。本発明のプログレシブ信号を分離した場合、図22のようにインターレース信号はメインで信号では奇数ラインつまりOdd line Firstであるが、サブ信号は偶数ラインつまり、Even line Firstとなる。このため、本発明では図33に示すようにプログレシブ映像75a,75bを分離部78により、メイン信号は奇数インターレース信号79aと偶数インターレース信号80aのフィールド対、サブ信号は偶数インターレース信号80b奇数インターレース信号79bを分離する。メイン信号からなる第1VOB118は、奇数ラインフィールドの奇数インターレース信号79aで始まるため問題は生じない。しかし、サブ信号は偶数ラインで構成される偶数インターレース信号80bで始まるため、そのままでは正常に再生されない。本発明では、ダミーフィールド生成手段120により、ダミーフィールド121を最低1フィールド作成し、ダミーフィールド追加手段122により、第2VOB119の先頭にダミーフィールド121を追加する。ダミーフィールド121は後に連続再生する。偶数インターレース信号80bの画像もしくは、奇数インターレース信号79bのフィールド映像をコピーすることにより、再生時に不自然さをなくすことができる。
次に圧縮方法を述べる。第1VOB118のインターレース信号79a,80aはフィールド対125aにまとめられ、フレーム符号化部123aで、符号化され、フレーム符号化信号127aとなる。
一方第2VOB119のダミーフィールド121は圧縮部82bの中のフィールド符号化部124bでフィールド単位の符号化がされ、まず、フィールド符号化信号129が符号化される。次に、本来のサブ信号である偶数インターレース信号80bと奇数インターレース信号79bは2つ合わせた第1フィールド対126aにまとめられ、圧縮部82bのフレーム符号化部123bでフレーム符号化されフレーム符号化信号128aとして符号化される。
こうして第２VOB119にOdd Firstのダミーフィールドが追加されるので、奇数インターレース信号から始まることになる。奇数、偶数と順番に記録されるので、DVDプレーヤでスムーズ再生されるという効果がある。なお、この場合1枚のプログレシブ信号はフレーム符号化信号127aとフレーム符号化信号128aが対応する。しかし、ダミーフィールドであるフィールド符号化信号129があるため、メイン信号のフレーム符号化信号127aとサブ信号のフレーム符号化信号128aの間には、tdなるオフセット時間130が存在する。プログレシブを再生する時は、このオフセット時間130の分だけサブ信号の出力タイミングを早くする必要がある。
ここで、図34を用いて、図21で述べた再生装置の86の動作をさらに詳しく説明する。再生部95からの信号はメイン信号の第1VOB118とサブ信号の第2VOB119に分離される。第1VOB118は元々、奇数ラインから始まるため、そのまま伸長すればよい。しかし第2VOB119の先頭には図33で述べたようにダミーフィールド129が挿入されている。このため、このまま再生するとメイン信号とサブ信号の間にtdなるオフセット時間119の同期のずれが生じて、最初のプログレシブ映像を合成するのに時間を要し、VOBから次のＶＯＢの間で切り換え時に画面が連続的につながらない。そこで、本発明では2つの方法でダミーフィールド121をスキップする。
第1の方法では、第2VOB119の先頭にあるフィールド符号化信号129を伸長部132に一旦入力し、フィールド伸長処理による伸長する途中、もしくは伸長後にプログレシブ識別情報があった場合は、プログレシブ処理切替部135がYesに切り替わり、ダミーフィールド迂回手段132により、ダミーフィールド121をスキップして、先頭に偶数インターレース信号80b、次に奇数インターレース信号79bを出力する。この信号は、同期手段133により、メイン信号に記録されている音声信号134、字幕等のサブピクチャー135と同期して、プログレシブ変換部90でプログレシブ画像93a,93bが出力される。こうして、ダミーフィールド121を迂回することにより、奇数フィールドと偶数フィールドが同期して合成され、時間軸のあったプログレシブ信号と音声信号、サブピクチャーが出力される。なお、プログレシブ識別情報がない場合はプログレシブ切替部135がNOに切り替わりダミーフィールド121が除去されないで、さらにプログレシブ変換もされないで、インターレース信号136が出力される。従来のプログレシブ機能をもたないDVDプレーヤではこのインターレース信号136が出力される。こうしてダミーフィールド迂回手段132をプログレシブ処理の場合にONし、そうでない時にはOFFすることにより、通常のフィールド符号化されたインターレース信号を最初のフィールドを落とすことなく正常に再生するという効果が得られる。
次に第2の方法について述べる。これはダミーフィールド129がフィールド符号化され1GOPとなり、サブ信号のフレームのGOPと分離できる場合に用いる。符号の復号の前にダミーフィールドの符号化情報であるフィールド符号化信号129をダミーフィールドの符号化情報迂回手段137で1GOP分だけスキップする。バッファ131bにスキップした情報を入力するか、バッファ131bの出力時にスキップしてもよい。伸長部88bにはメイン信号と対になった、サブ信号のフレームもしくはフィールド情報しか入力されない。こうして図21で述べた通常の手段で偶数インターレース信号80と奇数インターレース信号79bが伸長、インターレース変換され、メイン信号と同期手段133で同期されて、プログレシブ変換部90でプログレシブ信号93a,93bに変換される。
第2の方法では、符号化情報の段階で、ダミーフィールドを取り除いてしまうため、バッファ部131bの処理や伸長部88の処理を変更しなくてもよいという効果がある。第2VOB119の先頭に1GOPに符号化したダミーフィールドを入れる時に適している。
第1の方法はダミーフィールド129と各フレーム127a内のフィールド信号をまとめてフィールド符号化し、1GOPを生成するため記録効率が高いシームレスマルチアングル方式のように1インターリーブブロックの先頭にダミーフィールドを挿入してある時に効率がよいため、記録時間を増やす効果がある。
以上のようにしてプログレシブ処理の場合のみダミーフィールド121をスキップすることにより、あるVOBから次のVOBの境界、もしくはシームレスマルチアングルのインターリーブブロックにおいて、プログレシブ映像を切れ目無く再生できるという効果が得られる。
図37のフローチャート図を用いて、手順を説明する。ステップ138aで、第2n-1アングルのデータの再生開始命令を受ける。ステップ138bでプログレシブ識別子があるかをチェックし、Yesの時はステップ138fへジャンプし、NOの時はステップ138cで以下の3条件を満たすかチェックする。条件1は第nアングルのVOBの先頭に1フィールド（もしくは奇数個のフィールド）のGOPがあること。条件2はその1フィールドのGOPに連続して1フィールドのGOPがないこと。条件3は、第2n-1アングルの先頭のGOPが1フィールドでないこと。次にステップ138dで以上の条件を満たすかをチェックし、NOならステップ138eでインターレース処理を行い、第2n-1アングルのみを出力する。Yesならステップ138fでプログレシブ処理に切替、ステップ138gで第2n-1アングルのVOBの最初から再生するかをチェックし、Noならステップ138jへジャンプし、Yesならステップ138hで第nアングルのVOBの最初の1フィールドもしくは1フィールド分のGOPの映像をとばして出力する。第2n-1アングルに音声信号がある場合はVOBの最初のオフセット時間td（デフォルト値1/60秒）をスキップして出力する。ステップ138jで第2n-1アングルのメイン信号と第２nアングルのサブ信号を復号し、同期をとり、プログレシブ信号に合成する。ステップ138kでプログレシブ画像を出力し、ステップ138mでシームレスマルチアングル出力をする場合は、ステップ138nへ進み、第2n-1アングルの（サブ信号）の各インターリーブブロックをフィールド復号し、第1番目をスキップして出力する。もしくはインターレース変換時に奇数ラインと偶数ラインフィールドの出力順を逆にする。ステップ138pでプログレシブ画像の合成と出力を行う。
図４８は現在一般的に使用されているＭＰＥＧ２のエンコーダを用いた場合のタイムチャートを示す。現行の多くのエンコーダは最初の画像がＯｄｄ  Ｆｉｒｓｔラインで始まるインターレース信号しか処理できない。一方図４８（１）のプログレシブ信号を分割した図４８（２）に示すように、プログレシブ信号を分割したメイン信号はＯｄｄ  Ｆｉｒｓｔであるから第１フィールドからエンコードできる。しかし、図４８（３）に示すサブ信号は先頭画像がＥｖｅｎ  Ｆｉｒｓｔなので最初のフィールドのｔ＝ｔ−１の信号はエンコードされず、ｔ＝ｔ０からエンコードされる。つまり、画像２３２ｃ、２３２ｄの対でしかエンコードされない。この場合、第１ＶＯＢと第２ＶＯＢの境界は、サブ信号の方がメイン信号に比べて、１フィールド分だけ、ずれてしまう。従って、連続したＶＯＢを再生する時はスムーズにＶＯＢ間が接続されるが、あるＶＯＢから、連続していない特定のＶＯＢにジャンプする時は、図４８（１２）に示すようにＶＯＢの先頭のフィールドは片方のメイン信号しか得られない。そこで、本発明では第１フィールドの画像２３２ｍをすてて、ｔ＝ｔ２の画像２３２ｎより再生することにより、完全なプログレシブ信号を得ている。この場合、１フィールド分の音声データ２３３ａを同時にすてることにより、音声が同期して接続されるという効果がある。
図４７を用いてＯｄｄフィールドリピート識別子を用いて、記録効率を落とさずに、Ｏｄｄフィールドのダミーフィールドを挿入する方法を述べる。図４７（２）に示すプログレシブ信号のサブ信号に図４７（３）に示すように、実体のないダミーフィールド２３４ａ、２３４ｂを設定する。そしてタイムスタンプを１フィールド分だけ進ませる。図４７（５）の３−２変換部で、フィールド２３４ａ、２３４ｂ、２３４ｃの３つのフィールドを１つのフレーム２３４ｄに仮想的に合成する。この場合、本来はＥｖｅｎ  Ｆｉｒｓｔの識別子がつくが、Ｏｄｄ  ＦｉｒｓｔをリピートするＯｄｄ  Ｆｉｒｓｔ  Ｒｅｐｅａｔの識別子を付与するので、図４７（８）に示すように、再生時２−３変換部でＯｄｄのフィールド２３４ｆとＥｖｅｎのフィールド２３４ｇとＯｄｄのフィールド２３４ｈが再生される。こうしてＯｄｄ  ＦｉｒｓｔのＤＶＤ規格を満足し、互換性が保たれる。当然、プログレシブ対応型の再生装置では、ダミーフィールド２３４ｈをスキップして、タイムスタンプを１フィールド分修正してシームレスのプログレシブ信号を再生する。ダミーフィールドは同じフィールドを２回繰り返すだけなので、記録効率は全く落ちないという効果がある。
ここで、図26と図35の（3）を用いて、この光ディスク155を再生し、第1映像信号から第2映像信号へt=tcで切り替える手順を述べる。一例である光ディスク155には図26に示すようにA1,B1,C1,D1,A2,B2,C2,D2,A3,B3,C3,D3の順に1GOP単位のインターリーブブロック単位で、4チャンネルのストリームがインターリーブされて記録されている。最初は第1映像信号の出力であるため、AとBのインターリーブブロック（以下ILBと略する）84a,84bつまりA1,B1を連続再生しトラックジャンプ156を行い、ILB84e,84fつまりをA2,B2を再生する。t=tcで第2映像信号に切り替わるため、トラックジャンプ157を行い、ILB84i,84hつまりC3,D3を再生する。こうしてメイン信号はA1,A2,C3、サブ信号はB1,B2,D3が再生され、伸長部で伸長され合成され、合成部101bから出力部110bへ送られ、サブピクチャーデコーダ159からのサブピクチャー、音声信号再生部160からの音声、以上の3つの信号が、AV同期制御部158により調相されて、タイミングが合った状態で出力される。このため、第1ストリームのプログレシブ信号と第2ストリームのプログレシブ信号が音声、サブピクチャーともに切れ目なしに、つまりシームレスで連続されるという効果がある。シームレスの同期法は後述する。
図45を用いてプログレシプ映像もしくは、立体映像もしくはスコープ映像のように2つのストリームを同時に再生する場合に２つの映像と音声の同期をとる手順について述べる。720P信号のように３つや4つのストリームを再生する場合も同様にして実現できるので、これらの説明は省略する。
最初に本発明の２つのビデオストリームを同期させる方法を述べる。まず、図39に示すように、光ヘッドから再生されたシステムストリームは、トラックバッファ23に一旦蓄積された後に、第１ビデオデコーダ69dと第２ビデオデコーダ69cへ送られる。光ディスクのトラックには、プログレシブ信号の2つのストリームA、つまり第1ストリームと、Bの第2ストリームがインターリーブブロック単位で交互に記録されている。
まず、２倍速回転でストリームAを再生し、トラックバッファ23の中の第1トラックバッファ23aにデータの蓄積を開始する。この状態は図45の（1）に示したように、t=t1〜t2では1インターリーブ時間T1の期間の第1映像信号の1インターリーブブロック分（ILB）Ｉ１のデータが蓄積されていく。第1のトラックバッファデータ量は増加しt=t2で1ILBのデータ量まで増加し、第1映像信号の１ＩＬＢ分のデータの蓄積を完了する。t=t2で、第1映像信号の1GOP分以上の１ＩＬＢ分の蓄積を完了した後、今度はストリームBの第2映像信号を光ディスクの次のインターリーブブロックI2から再生し、図４５（４）の実線で示すようにt=t2で第2トラックバッファ23bに第2映像信号のデータの蓄積を開始し、t=t6まで、第1トラックバッファ23bに蓄積する。同時に、t=t2からt8までは、図45（7）、（10）に示すように第1映像信号と第2映像信号をビデオプレゼンテーションタイムスタンプ、つまりVPTSの時間を同期させてトラックバッファ23a,トラックバッファ23bから第1ビデオデコーダ69c,第２ビデオデコーダ69dに入力させる。この入力信号は図45（8）、（11）に示すようにＭＰＥＧの伸長処理時間であるビデオ遅延時間twdだけ遅れた時間のt=t3より、第1ビデオデコーダ６９ｃと第2ビデオデコーダ６９ｄから伸長された2つのビデオデータとして出力される。t=t4よりt10までこのストリームＡとストリームＢの2つのビデオデータはプログレシブ変換部170によりプログレシブ信号に合成されて1インターリーブブロック分のプログレシブ信号が出力される。
さて、このようにt=t2からt8までは1インターリーブブロック分のデータがデコーダに入力される。従って、ほぼ同一のレートで、第１トラックバッファ23aと第２トラックバッファ23bのデータは消費され減少する。従って図45（2）に示すように、第1トラックバッファのデータ量はt2からt7までは減少し、ｔ＝ｔ７では１ＩＬＢの1/2まで減少する。t=t7で、インターリーブブロックI5のデータの再生が始まるので、増加分と減少分が相殺され、t=t8まで増加し、t=t8で1ILBに達するが、t=t2の場合と同様にしてt=t8で第１デコーダ６９ｃへの入力が始まるので、t=t11まで減少を続け、最終的に1/2ILB分のバッファメモリ量となる。
次に図45（4）を用いてストリームＢのバッファ量である第2トラックバッファ２３ａのメモリ量の推移を説明する。t=t2でインターリーブブロックI2のストリームＢのデータB1が第２トラックバッファ23bに入力され始めるが、同時にB1のデータの第2ビデオデコーダ69dへの転送も始まるので、１／２に相殺され、t=t6におけるバッファ量は1/2の1／2ILB分となる。本発明のプログレシブ信号の２角度のマルチアングル記録する場合は、4つのストリームつまり４つのインターリーブブロックがあるため、t=t6からt7にかけて、インターリーブブロックI3,I4をトラックジャンプして、I5へジャンプする必要がある。このtjのジャンプ時間197の間は、光ディスクからのデータの再生入力は中断するため、ストリームＢのバッファ量はt=t8まで減少を続け、t=t8で0近くなる。
t=t8でインターリーブブロックI6のデータＢ２の再生データが入力されてくるので、再び増加を始め、t=t11で第２トラックバッファのメモリ量は1/2ILB分となる。t=t11でトラックジャンプを行い、インターリーブブロックI7,I8をスキップしてA3のインターリーブブロックI9をアクセスする。
以上の動作を繰り返す。
ここで、本発明の方式の第１トラックバッファ23aと第２トラックバッファ23bを加算したトラックバッファ23に最低必要なメモリ容量を述べる。図45（４）に点線で示すトラックバッファ容量198がトラックバッファ23aとトラックバッファ23bを足したデータ量を示す。このように合計で最低1ILB分の容量をトラックバッファに設定することにより、切れ目無く再生できる。
本発明では本発明のプログレシブ再生時にトラックバッファ23のトラックバッファ23aと23bの合計容量を1インターリーブブロック以上とることにより、トラックバッファのオーバーフローやアンダーフローを防ぐことができる効果がある。また、図31で２ストリームの場合のシステムクロックSTCの切替法を後述するが、プログレシブ再生の場合、A,B2つのストリームがある。この場合、1ＩＬＢのプログレシブ信号を構成する２つのインターレース信号の2つのストリームをA１,B１とすると、まず1番目のA１ストリームのデータは図３１（１）に示すように１／２ＩＬＢ期間に再生され、バッファに全データが蓄積される。次にストリームＢのデータは図３１（２）に示すように、Ａ１の再生終了後、Ｂ１として再生されバッファに蓄積される。この場合、前述の用に図３１（２）のストリームＢで、光ディスクからの再生データは制御されるので、トラックバッファがオーバーフローすることはない。図３１（３）に示すストリームＡ、もしくはストリームＢのトラックバッファからのＳＣＲつまりストリームクロックは、図３１（２）に示すストリームＢの再生開始点Ｊに略々同期してカウンタをリセットされる。そして、ストリームＢは２倍速で出力されるので、バッファにより、図３１（３）に示すような１倍速、つまり１／２の速度でストリームクロックはカウントされる。そしてＧ点でストリームクロックはリセットされる。ビデオデコーダより、ストリームＢのビデオ信号が出力する時刻ＶＰＴＳ２はＭＰＥＧデコード時間等の遅延時間Ｔｖｄを考慮し同期させる必要がある。この場合、Ｉ点つまり、ＶＰＴＳの増加が途切れた点でｔ＝ＴｉでＡＶ同期制御を再起動する。この場合ストリームＢのＶＰＴＳ２をチェックし、このＶＰＴＳ２にストリームＡのＶＰＴＳ１を同期させることにより、１系統の簡単な制御で同期が実現する。この場合ＶＰＴＳ１を併用してもよい。
オーディオの同期ストリームＢの音声データを再生し、図３１（４）に示すように、ストリームＢのＡＰＴＳを用いてＨ点でＳＴＣを切り替えればよい。ストリームＢのサブ映像信号も図３１（４）と同じようにしてＳＴＣを切り替えればよい。
以上のようにして、ストリームＢのデータを優先的に用いてＡＶ同期させることにより、簡単な制御でＡＶ同期が実現する。
この場合、ストリームＡ１、Ａ２は全映像データがバッファメモリに蓄えられているのでオーバーフローすることはない。ストリームＢ１がオーバーフローする可能性がある。しかし本発明ではストリームＢで同期制御を行うことにより、図３１（６）に示すようにＶＰＴＳ２がＶＰＴＳ２しきい値を超えないようにＳＴＣを切り替え、信号フローを制御しているので、バッファがオーバーフローすることがない。
また、ストリームBの音声を音声再生に用いることにより前述のように、オーディオデコーダのバッファを1/2にできるだけでなく、図31（４）に示すように、ｔ＝ＴｈのH点でSTCを切り替えることにより、APTSしきい値を超えることなく、スムーズに音声が再生される。サブ映像情報も同様にスムーズに同期して再生される。従って、映像と音声、字幕等のサブ映像が同期するとともに、画面、音声が途切れることなく、つまりシームレスに再生される。この場合、ストリームＡの音声、サブ映像の記録を省略しても、さしつかえない。また、ストリームＢに音声、サブ映像を入れることにより、既存の再生装置でストリームＢの２を再生するようにし、前述の図２２に示した第２映像信号出力制御情報付加部１７９により、ストリームＡの再生を制御することにより、音のない画像を出力するトラブルを防ぐことができる。このようにストリームＡの音声、サブ映像のデータを省略することにより、プログレシブ映像のソフト、例えば２時間の映画を１枚の２層ディスクに本発明のインターリーブブロック記録方式により、記録できるという大きな効果がある。この効果を述べる。映画ソフトは１層の４．７ＧＢのＤＶＤディスクに２時間１５Ｐ程度記録できる。本発明のプログレシブ映像を差分をとらないで、そのまま２チャンネル記録すると、倍の９．４ＧＢ必要である。しかし、例えば映像信号は４Ｍｂｐｓ、サブ映像と音声信号は１Ｍｂｐｓ近く必要である。音声信号の１Ｍｂｐｓを片方のストリームだけに記録すると、合わせて９Ｍｂｐｓでよい。つまり９０％のデータ量でよいため、９．４ＧＢの９０％で８．５ＧＢとなり、２層ディスクに１層ディスクと々プログレシブ信号が記録できる。
本発明の同期方法では、プログレシブ信号の2本1組の信号のうち、光ディスク上のビデオデータの先頭からみて、ストリームＡのインターリーブブロックの次にストリームＢのインターリーブブロックの順序で記録されているとすると、先頭のデータ（実施例ではA）をトラックバッファに入れて、もう一方のデータ（実施例ではB）を再生する時に、ストリームＢの同期情報を主体的に用いて同期させる。具体的には、ストリームＢのビデオのタイムスタンプＶＰＴＳ１が、ＶＰＴＳ１のしきい値を超えないようにシステムクロックを切り替えることにより、画面が途切れることなく、ビデオと音声が同期して再生されるという効果が得られる。ストリームＡはストリームＢのタイムスタンプであるＶＰＴＳ２等の時間情報に同期させて、バッファから、読み出すだけでよいので、制御が簡単となる。
このように、本発明では、第1のストリームを一旦、バッファに蓄積し、第2のストリームを同期制御するだけでよいので、制御が確実で簡単になる。この場合、バッファメモリのサイズは１ＩＬＢ分以上に設定すれば、オーバーフローやアンダーフローしない。
既存のＤＶＤの光ディスク再生装置の場合、標準的な１ＩＬＢ分の１／５程度の１００〜３００ｋＢのバッファメモリが使用されている。しかし、本発明の場合、標準的なＩＬＢの１単位分のバッファメモリにより、スムーズに再生できる。１ＩＬＢは０．５〜２秒であるが、マルチアングルの場合の待ち時間は１秒程度しか許容できないので実際には、０．５〜１秒の範囲で使われている。従って、最大１秒として８Ｍｂｐｓのストリームを考えると、本発明のＤＶＤの光ディスク再生装置では１ＭＢ以上のバッファメモリを用いればよい。
以上の動作の中で図30の同期制御部166は図45（1）のインターリーブブロックI2とI6の第2映像信号の同期データを用いて、STCを切り替えることにより、インターリーブブロックブロック間のシームレス再生が可能となる。I2、I6のインターリーブブロックのデータ再生時、ストリームＢのバッファ量をモニターしながらモーター回転数再生トラックを制御することにより、トラックバッファ23a,23bのメモリ量がオーバーフローしないように最適化できるので、トラックバッファのメモリ量を少なくできるという効果がある。ストリームＡのインターリーブブロックI1,I5のデータは、全部トラックバッファ23aに入っているので、２ストリームＡの信号で再生制御を行い、バッファサイズを最適化するには適していない。またインターリーブブロックI1,I5のオーディオデータを用いて再生すると図45（8）、（11）のビデオデータの出力のタイムスタンプと一致させるためには、図45（3）に示すように1インターリーブブロック分以上のオーディオデータや、サブ映像データをトラックバッファ23（図39）やオーディオデコーダバッファ172（図39）に蓄積する必要があるのに対し、インターリーブブロックI2,I6のオーディオデータを用いると、図45（5）に示すように、1/2つまり1/2のILBデータでよいため、トラックバッファ23（図39）やオーディオデコーダバッファ172（図39）のメモリ量が半分になるという効果がある。
また、図45にしめしたように、プログレシブ信号の主信号と補完信号の入ったI1,I2の1組とI5,I6の1組のデータを再生する時、インターリーブブロックI1,I5をバッファに蓄積しておき、次にインターリーブブロックI2,I6の再生データを基準にしてモータの回転制御をかけるとバッファのメモリ量を小さくできる。また、図30のAV同期制御部158のSTCの切替タイミングもインターリーブブロックI2,I6のSTCを基準にすることにより、バッファのオーバーフローなしに安定したデコードができるという効果がある。
また、図37のようにプログレシブ信号再生時は、VOBの最初のフィールドをスキップする方法を述べたが、第2の現実的な方法として、図22に示すように、記録装置99で、インターレース変換したOdd First識別子199の画像とEven First識別子200のついた画像の2枚の画像のうち、Even/Odd変換部201により、Even First識別子200だけをOdd First識別子202に変換して各MPEGデータにOdd Firstの識別子を付加することにより、全てのVOBの先頭がOdd Firstになる。
再生装置側では、図21に示すようにOdd First識別子199のデータと、Ｅｖｅｎ  Ｆｉｒｓｔが変換されたOdd First識別子202が再生される。ステップ203に示すようにプログレシブ信号再生かどうかをチェックし、Yesならステップ204で第2映像信号のOdd Fisrt識別子をEven First識別子200aに変更し、MPEGデコーダのインターレース変換部71bに送る。Noなら識別子は変更しない。インターレース変換部71bでは第2映像信号のフレーム画像からラインのフィールドを先に出力するのでEven Firstの画像が出力される。合成部90では、この第2映像信号のEven Firstの画像と第1映像信号のOdd Firstの画像と合成され、正常なプログレシブ画像が出力される。この方法により、全てのインターリーブブロックの先頭がOdd Firstになり、DVD規格の再生装置でシームレスのマルチアングル映像が問題なく再生されるという効果がある。シームレスマルチアングル再生の時は各インターリーブブロックの先頭がOdd Firstに制限されているので、この方法により、ダミーフィールドを入れなくてもよいため、記録効率が落ちないという効果がある。
さて、この第2のOdd Firstラインを揃える方法は、既存の再生装置でも第1映像信号は正常に再生される。しかし、既存の再生装置で第2映像信号のOdd First識別子の通りにインターレース変換すると、奇数と偶数フィールドが逆になり、解像度の落ちた見にくい映像が出力される。これを避けるためには、図40で説明した第2映像信号出力制限情報付加部により、従来の再生装置で再生する時に、DVD規格内で第2映像信号の再生を制限する情報を光ディスク85に記録しておけば、第2映像信号は既存の再生装置で再生されないため、使用者に不愉快な映像をみせるという事態を避けることができる。
この記録装置において、Odd First画像と変換されたOdd First画像の1対のフィールド画像を各々の圧縮部81a,82bで可変符号化の画像圧縮を行う場合、別々に動き検出と補償を行うと圧縮しにくい画像をエンコードする時に、ブロック歪みが別々に現れるため、プログレシブ信号に合成した時、デコード画像が汚くなる。これを避けるため本発明では、同一の動き検出補償部205により同一の動きベクトルを採用し、動き補償し符号化することにより、2つのフィールドをデコードした時、ブロック歪みが揃うため目立ちにくいという効果がある。また、エンコードの負荷も減る。
次に、このAV同期制御部158の動作について詳しく述べる。
ＡＶ同期制御部については、本発明においても最も重要な部分の一つであるので、詳しく説明する。
図５のシステム制御部２１の動作を述べる。まず、システム制御部２１は光ディスクがＤＶＤ再生装置にセット（挿入）されたかどうかを判別する。セットされたことを検出すると、機構制御部および信号制御部を制御することにより、安定な読み出しが行われるまでディスク回転制御を行い、安定になった時点で光ピックアップを移動させ、図２８に示したボリューム情報ファイルを読み出す。
さらに、システム制御部２１は、図２８のボリューム情報ファイル中のボリュームメニュー管理情報に従って、ボリュームメニュー用のプログラムチェーン群を再生する。このボリュームメニュー用のプログラムチェーン群の再生時には、ユーザは、所望するオーディオデータおよび副映像データの番号を指定することができる。また、光ディスクの再生時間におけるボリュームメニュー用のプログラムチェーン群の再生は、マルチメディアデータの用途に応じて必要でない場合には、省略してもよい。
システム制御部２１は、ボリューム情報ファイル中のタイトル群管理情報に従ってタイトルメニュー用プログラムチェーン群を再生して表示し、ユーザの選択に基づいて選択されたタイトルを含むビデオファイルのファイル管理情報を読み出して、タイトル先頭のプログラムチェーンに分岐する。さらに、このプログラムチェーン群を再生する。
図２９はシステム制御部２１によるプログラムチェーン群の再生処理の詳細な手順を示すフローチャートである。図２９において、ステップ２３５ａ、２３５ｂ、２３５ｃで、まずシステム制御部２１は、ボリューム情報ファイルまたはビデオファイルのプログラムチェーン情報テーブルから、該当するプログラムチェーン情報を読み出す。ステップ２３５ｄで、プログラムチェーンが終了していない場合は、ステップ２３５ｅに進む。
次に、ステップ２３５ｅプログラムチェーン情報内において次に転送すべきセルのシームレス接続指示情報を参照し、当該セルと直前のセルとの接続がシームレス接続を行うべきか否かを判別し、シームレス接続の必要がある場合は、ステップ２３５ｆのシームレス接続処理に進み、シームレス接続の必要がなければ、通じよう接続処理に進む。
ステップ２３５ｆでは、機構制御部、信号処理部などを制御してＤＳＩパケットを読み出し、先に転送を行ったセルのＤＳＩパケット内に存在するＶＯＢ再生終了時刻（ＶＯＢ＿Ｅ＿ＰＴＭ）と、次に転送するセルのＤＳＩパケット内に損ザイルＶＯＢ再生開始時刻（ＶＯＢ＿Ｓ＿ＰＴＭ）を読み出す。
次にステップ２３５ｈでは「ＶＯＢ再生終了時刻（ＶＯＢ＿Ｅ＿ＰＴＭ）−ＶＯＢ再生開始時刻（ＶＯＢ＿Ｓ＿ＰＴＭ）」を算出してこれを当該セルと直前に転送済みのセルとのＳＴＣオフセットとして、図３０のＡＶ同期制御部１５８内のＳＴＣオフセット合成部１６４に転送する。
同時に、ステップ２３５ｉで、ＶＯＢ再生終了時刻（ＶＯＢ＿Ｅ＿ＰＴＭ）を、ＳＴＣ切り替えスイッチ１６２ｅの切り替え時刻Ｔ４としてＳＴＣ切り替えタイミング制御部１６６に転送する。
次に当該セルの終端位置になるまでデータを読み出すように機構制御部に指示する。これによりステップ２３５ｊでトラックバッファ２３に当該セルのデータが転送され、転送が終了し次第ステップ２３５ｃのプログラムチェーン情報の読み出しに進む。
また、ステップ２３５ｅにおいて、シームレス接続でないと判断された場合、トラックバッファ２３への転送をシステムストリーム末尾まで行い、ステップ２３５ｃのプログラムチェーン情報の読み出しに進む。
次に、本発明におけるシームレス再生を行うためのシームレス接続制御のAV同期制御方法に関する2つの実施例を説明する。これらは図26と図39におけるAV同期制御部158を詳細に説明するものである。
図39のシステムデコーダ161、オーディオデコーダ160、ビデオデコーダ69c,69d、副映像デコーダ159は全て、図30のAV同期制御部から与えられるシステムタイムクロックに同期して、システムストリーム中のデータの処理を行う。
第1の方法では、図30を用いて、AV同期制御部158の説明を行う。
図30においてAV同期制御部は、STC切替スイッチ162a,162b,162c,162d、STC163、STCオフセット合成部164、STC設定部165、STC切替タイミング制御部166から構成される。
STC切替部162a,162b,162c,162d,162eは各々システムデコーダ161、オーディオデコーダ160、メインビデオデコーダ69c、サブビデオデコーダ69d、副映像デコーダ159に与える基準クロックとしてSTC163の出力値とSTCオフセット合成部164の出力値とを切り替える。
STC163は、通常再生において図39のMPEGデコーダ全体の基準クロックである。
STCオフセット合成部164はSTC163の値から、システム制御から与えられるSTCオフセット値を減算した値を出力し続ける。
STC設定部165は、システム制御部から与えられるSTC初期値又はSTCオフセット合成部164から与えられるSTCオフセット合成値をSTC切替タイミング制御部166から与えられるタイミングでSTC163に設定する。
STC切替タイミング制御部166は、システム制御部から与えられるSTC切替タイミング情報とSTC163及びSTCオフセット合成部164から与えられるSTCオフセット合成値に基づいてSTC切替部スイッチ162a〜162eとSTC設定165を制御する。
STCオフセット値とは、異なるSTC初期値を持つシステムストリーム#1とシステムストリーム#2を接続して連続再生する際に、STC値を変更するたるめに用いるオフセット値である。
具体的には、先に再生するシステムストリーム#1のDSIパケットに記述される「VOB再生終了時刻（VOB_E_PTM）」から、次に再生するシステムストリーム#2のDSIに記述される「VOB再生開始時刻（VOB_S_PTM）」を減算して得る。これらの表示時刻の情報は、図5において光ディスクから読み出されたデータがトラックバッファ23に入力される時点で、システム制御部167が読み出すことで、予め算出しておく。
算出したオフセット値は、システムストリーム#1の最後のパックがシステムデコーダ161に入力されるまでに、STCオフセット合成部164に与えられる。
図5のデータ復号処理部165は、シームレス接続制御を行う場合以外は、MPEGデコーダとして動作する。この時にシステム制御部167から与えられるSTCオフセットは0または任意の値であり、図30におけるSTC切替スイッチ162a〜162eは常にSTC163側が選択される。
次に、システムストリーム#1とシステムストリーム#2というSTC値の連続しない2つのシステムストリームがシステムデコーダ161に連続入力される場合の、システムストリームの接続部におけるSTC切替スイッチ162a〜162eの切替及び、STC163の動作について図38のフローチャートを用いて説明する。
入力されるシステムストリーム#1とシステムストリーム#2のSCR,APTS,VPTS,VDTS説明は省略する。
STC163には予め、再生中のシステムストリーム#1に対応したSTC初期値がSTC設定部165からセットされて、再生動作とともに順次カウントアップ中であるとする。まずシステム制御部167（図5）は、先に述べた方法によりSTCオフセットの値を算出しておき、システムストリーム#1の最後のパックがデコーダバッファに入力されるまでにこの値をSTCオフセット合成部１６４にセットしておく。STCオフセット合成部１６４はSTC163の値からSTCオフセット値の減算値を出力し続ける（ステップ168a）。
STC切替タイミング制御部166は、先に再生されるシステムストリーム#1中の最後のパックがデコーダバッファに入力される時刻T1を得、時刻T1においてSTC切替スイッチ162aをSTCオフセット合成部164の出力側に切り替える（ステップ168b）。
以降、システムデコーダ161の参照するSTC値には、STCオフセット合成部164の出力が与えられ、システムストリーム#2のシステムデコーダ161への転送タイミングは、システムストリーム#2のパックヘッダ中に記述されたＳＣＲにより決定される。
次にSTC切替タイミング制御部166は、先に再生されるシステムストリーム#1の最後のオーディオフレームの再生が終了する時刻T2を得、時刻T2においてSTC切替スイッチ162bをSTCオフセット合成部164の出力側に切り替える（ステップ168c）。時刻T2を得る方法については後述する。
以降、オーディオデコーダ160の参照するSTC値には、STCオフセット合成部164の出力が与えられ、システムストリーム#2のオーディオ出力のタイミングは、システムストリーム#2のオーディオパケット中に記述されたAPTSにより決定される。
次にSTC切り替えタイミング制御部166は、先に再生されるシステムストリーム#1のメイン信号とサブ信号の最後のビデオフレームのデコードが終了する時刻T3,T'3を得、時刻T3,T'3においてSTC切替スイッチ162c,162dをSTCオフセット合成部164の出力側に切り替える（ステップ168d）。時刻T3を得る方法については後述する。以降、ビデオデコーダ69c,69dの参照するSTC値には、STCオフセット合成部164の出力が与えられ、システムストリーム#2のビデオデコードのタイミングは、システムストリーム#2のビデオパケット中に記述されたＶＰＴＳにより決定される。次にSTC切り替えタイミング制御部166は、先に再生されるシステムストリーム#1の最後のビデオフレームの再生出力が終了する時刻T4を得、時刻T4においてSTC切替スイッチ162eをSTCオフセット合成部164の出力側に切替える（ステップ168e）。時刻T4を得る方法については後述する。
以降、ビデオ出力切替スイッチ169及び副映像デコーダ159の参照するSTC値には、STCオフセット合成部164の出力が与えられ、システムストリーム#2のビデオ出力及び副映像出力のタイミングは、システムストリーム#2のビデオパケット及び副映像パケット中に記述されたVPTSとSPTSにより決定される。
これらSTC切替スイッチ162a〜162eのスイッチの切替が終了した時点で、STC設定部165は、STCオフセット合成部164から与えられている値をSTC162に設定し（ステップ168f）（これをSTC163のリローディングと呼ぶ）、ステップ162a〜162eの全てのスイッチをSTC163側に切り替える（ステップ168g）。
以降、オーディオデコーダ160、ビデオデコーダ69d,69c、ビデオ出力切替スイッチ169及び副映像デコーダ159の参照するSTC値には、STC163の出力が与えられ、通常動作に戻る。
ここで、STCの切替タイミングである時刻T1〜T4を得る方法として2つの手段について説明する。
一つ目の手段としては、時刻T1〜T4はストリーム作成時に容易に計算し得るため、予め時刻T1〜T4を表す情報をディスクに記述し、システム制御部21がこれを読み出して、STC切替タイミング制御部166に伝える方法である。
特に、T4については、STCオフセットを求める際に使用する、DSIに記録されている「VOB再生終了時刻（VOB_E_PTM）」がそのまま使用できる。
この時に記録する値は、先に再生するシステムストリーム#1で使用するSTCの値を基準として記述し、STC切替タイミング制御部166は、STC163のカウントアップする値が時刻T1〜T4になった瞬間にSTC切り替えスイッチ162a〜162eを切り替える。
2つ目の手段としては、トラックバッファ２３、ビデオデコーダバッファ１７１，１７１ａ及びオーディオデコーダバッファ１７２に、システムストリーム#2の先頭データを書き込んだタイミングから、読み出すタイミングを得る方法である。
トラックバッファ23が、書き込みポインタと読み出しポインタとデータメモリから構成されるリングバッファであると仮定すると、具体的には、システム制御部21は、トラックバッファ23内の書き込みポインタの指すアドレスと読み出しポインタの指すアドレスを読み出す構成とし、目標パックを書き込んだ際の書き込みポインタの指すアドレスと読み出しポインタの指すアドレスから、その直前に書き込まれたパックが読み出される瞬間を検出する。
システム制御部21は、システムストリーム#1からシステムストリーム#2の再生に移行する際、光ディスク上のシステムストリーム#2の先頭アドレスを指定して読み出すため、システムストリーム#2の先頭データがトラックバッファ23に格納される瞬間を知る。次に、システムストリーム#2の先頭のパックを書き込んだアドレスをマークして、その一つ前のパックを読み出し終える瞬間をT1とすることで、時刻T1が得られる。
システム制御部21は、T1を得た瞬間にこれをビデオデコーダ69c,69d、オーディオデコーダ160に知らせることで、ビデオデコーダ69c,69d及びオーディオデコーダ160は、以降の転送においてビデオバッファ171及びオーディオバッファ172システムストリーム#2の先頭のパケットが転送されることを知る。
従って、トラックバッファ21のバッファ管理と同様にして、各デコーダバッファの管理を行うことで2つのビデオデコーダ69c,69d及びオーディオデコーダ160は、システムストリーム#1の最後のパケットの転送される瞬間を得、T2、T3を得る。
但し、T1の検出がビデオデコーダバッファ171或いはオーディオデコーダバッファ172から全てのデータが読み出されて（システムストリーム#1の最後のフレームのデコードが行われた直後）且つ、書き込むデータがまだ到着していない場合（パック間の転送時間が空いている場合）には、書き込むデータがないためアドレス管理ができない。しかしこの場合も、次のデコードタイミング（システムストリーム#2の先頭フレームのデコードタイミング）までの間に次にデコードすべきフレームのパケットは確実に転送されるため、このパケットが転送された瞬間をT2或いはT3とすることで、切替タイミングを知ることができる。
なお、T4については先に述べたように、DSIパケット中に記述された「システムストリーム#1のビデオの最後のフレームの表示終了時刻（VOB_E_PTM）」をそのまま用いれば良い。
次に第2のシームレス再生の方法を述べる。
図31はシステムストリームが図38のデータ復号処理部に入力されてからデコーダバッファ及びデコード処理を経て、どのようなタイミングでそれぞれ再生出力されるかを示す図である。図31を用いて、システムストリーム#1とシステムストリーム#2とを接続する部分でのAPTS及びVPTSの各値の変化を説明し、実際にストリームを処理する動作におけるシームレス接続部分でのAV同期制御の方法を説明する。
次に図31のグラフを用いて、図43に示したフローチャートの流れ通りにシームレス接続制御を行う方法を説明する。
シームレス接続制御の起動のタイミングは図31（３）のSCRのグラフで得られる。このグラフのSCRの値が増加し続けている期間は、システムストリーム#1がトラックバッファ23（図5）からデータ復号処理部16（図5）に対して転送されている期間であり、システムストリーム#1の転送が終了してシステムストリーム#2の転送が開始されたG点のみ、SCRの値が「0」となる。従って、SCRの値が「0」となるG点を判別することで、新しいシステムストリーム#2がデータ復号処理部16に入力されたことがわかり、この時点（時刻Tg）で、同期機構制御部は再生出力部のAV同期機構をOFF（解除）すれば良い。
また、SCRの値が「0」であることの検出は、光ディスクから読み出した信号を信号処理した後もしくは、トラックバッファ23に書き込む際にも可能である。このポイントでの検出を元にAV同期機構をOFFしても良い。
次に、OFFしたAV同期機構をON（開始）するタイミングであるが、オーディオとビデオとが合わないちぐはぐな再生を防ぐためには、システムストリーム#1に含まれるオーディオ出力及びビデオ出力の両方が新しいシステムストリーム#2に変わったことを知る必要がある。オーディオ出力が新しいシステムストリーム#2のものに変わった瞬間は、APTSの値の増加が途切れたH点を検出することで知ることができる。また、同様にしてビデオ出力が新しいシステムストリーム#2のものに変わった瞬間は、VPTSの値の増加が途切れたI点を検出することで知ることができる。従って、同期機構制御部は、H点及びI点の両方が出現したことを知った後、直ちに（時刻Tiにて）AV同期を再起動すれば良い。
時刻Tgから時刻Tiの期間において、STCにSCRの値をセットしない場合或いは、APTSの値とVPTSの値とを直接比較している場合には、AV同期機構をOFFしている期間をさらに短くすることができる。
これには、データ復号処理部16から出力されるオーディオ出力データのAPTS及びビデオ出力データのVPTSの両方の値を監視し、どちらか一方で先にその値が減少する方についてこれを検出して直ちに、すなわち図31においては時刻Thで、AV同期機構をOFFすれば良い。
ただし、これまで説明したようにAPTSの値及びVPTSの値の増加が継続しているか否かによるタイミング判定を行う場合は、システムストリームが接続された点においてAPTSの値及びVPTSの値が必ず減少する必要があることは自明である。これは言い換えれば、システムストリームの中のAPTS、VPTSの初期値の最大値よりも、システムストリームの中の最終のAPTSの値、VPTSの値が大きな値であればよい。
APTS及びVPTSの初期値（図中△Tad,△Tvd）の最大値は次のようにして定まる。
APTS及びVPTSの初期値は、ビデオデータ及びオーディオデータをビデオバッファ及びオーディオバッファ内にそれぞれ蓄える時間と、ビデオのリオーダ（MPEGビデオでは、ピクチャのデコード順序と表示順序とは一致しておらず、デコードに対して表示が最大で1ピクチャ遅れる）との和である。従って、ビデオバッファ及びオーディオバッファが満杯になるまでに要する時間とビデオのリオーダによる表示の遅れ（1フレーム時間）の和がAPTS及びVPTSの初期値の最大値となる。
従って、システムストリームを作成する際には、システムストリーム中の最終のAPTS及びVPTSの各値が必ずこれらの値を超えるように構成すればよい。
これまで本実施例では、システムストリーム接続後のAV同期機構ONのタイミングの判断基準について、APTS及びVPTSの各値が増加しているか否かを判定する方法で述べてきたが、次に述べるようなしきい値判定でも実現可能である。まず予め、再生装置側で図31の（４）と（５）のグラフに示すオーディオしきい値及びビデオしきい値をそれぞれ決めておく。これらの値は、システムストリーム中におけるAPTS及びVPTSの各値の初期値の最大値に等しく、上述の最大値と同様である。
そしてAPTS読み出し手段及びVPTS読み出し手段で読み出したAPTS及びVPTSの各値が、それぞれオーディオしきい値及びビデオしきい値以下になるか否かで判定を行う。APTS及びVPTSの各値が、オーディオしきい値及びしきい値よりも大きければ新しいシステムストリームの出力データには変わっておらず、以下になれば新しいシステムストリームの出力データが開始されたことになり、AV同期機構のOFFもしくはONのタイミングを知ることができる。
以上で説明したようなAV同期機構のON/OFF制御を行うことにより、システムストリームの接続部分において、再生状態に乱れを生じないシームレスな再生を行うことができる。
産業上の利用可能性
基本映像信号と補間映像信号を、1GOP以上のフレーム群に各々分割し、交互にインターリーブしてインターリーブブロック54、55として光ディスク上に記録することにより、プログレシブ（立体）対応型再生装置では、奇数フィールド（右眼用）と偶数フィールド（左眼用）右と左のインターリーブブロックの双方の情報を再生することによりプログレシブ（立体）映像を得ることができる。またプログレシブ（立体）非対応型再生装置で、プログレシブ（立体）映像を記録したディスクを再生した場合は、奇数フィールド（右眼）もしくは偶数フィールド（左眼）のインターリーブブロックの一方のみをトラックジャンプして再生することにより、完全な２次元の通常映像を得ることができる。こうして相互互換性が実現するという効果がある。
とくにプログレシブ（立体）映像の配置情報ファイルを設け、プログレシブ（立体）映像識別子を光ディスクに記録してある。従ってどこにプログレシブ（立体）映像が存在するか容易に判別できるので2つの通常インターレース信号をプログレシブ化することや立体テレビの左目と右目に、誤って異なる２つのコンテンツの画像をそれぞれ出力する失敗を防止できるという効果がある。
立体映像対応再生装置では２次元で用いるポインターを用いて、立体映像識別子がある場合のみ、アクセス手順を変更する本発明の方法を使うことにより、立体映像を連続して再生することを可能としている。２次元のフォーマットを変更することなしに立体映像対応再生装置を実現することができる。
【図１】
0003935507.tif 000002
【図２】
0003935507.tif 000003
【図３】
0003935507.tif 000004
【図４】
0003935507.tif 000005
【図５】
0003935507.tif 000006
【図６】
0003935507.tif 000007
【図７】
0003935507.tif 000008
【図８】
0003935507.tif 000009
【図９】
0003935507.tif 000010
【図１０】
0003935507.tif 000011
【図１１】
0003935507.tif 000012
【図１２】
0003935507.tif 000013
【図１３】
0003935507.tif 000014
【図１４】
0003935507.tif 000015
【図１５】
0003935507.tif 000016
【図１６】
0003935507.tif 000017
【図１７】
0003935507.tif 000018
【図１８】
0003935507.tif 000019
【図１９】
0003935507.tif 000020
【図２０】
0003935507.tif 000021
【図２１】
0003935507.tif 000022
【図２２】
0003935507.tif 000023
【図２３】
0003935507.tif 000024
【図２４】
0003935507.tif 000025
【図２５】
0003935507.tif 000026
【図２６】
0003935507.tif 000027
【図２７】
0003935507.tif 000028
【図２８】
0003935507.tif 000029
【図２９】
0003935507.tif 000030
【図３０】
0003935507.tif 000031
【図３１】
0003935507.tif 000032
【図３２】
0003935507.tif 000033
【図３３】
0003935507.tif 000034
【図３４】
0003935507.tif 000035
【図３５】
0003935507.tif 000036
【図３６】
0003935507.tif 000037
【図３７】
0003935507.tif 000038
【図３８】
0003935507.tif 000039
【図３９】
0003935507.tif 000040
【図４０】
0003935507.tif 000041
【図４１】
0003935507.tif 000042
【図４２】
0003935507.tif 000043
【図４３】
0003935507.tif 000044
【図４４】
0003935507.tif 000045
【図４５】
0003935507.tif 000046
【図４６】
0003935507.tif 000047
【図４７】
0003935507.tif 000048
【図４８】
0003935507.tif 000049
【図４９】
0003935507.tif 000050
【図５０】
0003935507.tif 000051
【図５１】
0003935507.tif 000052
【図５２】
0003935507.tif 000053
【図５３】
0003935507.tif 000054
【図５４】
0003935507.tif 000055
【図５５】
0003935507.tif 000056
0003935507.tif 000057
0003935507.tif 000058
0003935507.tif 000059
0003935507.tif 000060
0003935507.tif 000061
0003935507.tif 000062
0003935507.tif 000063
0003935507.tif 000064